(57)【要約】【課題】短時間で容易にかつしっかりと組立及び分解可能であること。【解決手段】雌ねじ部１８が配設されたベース２と、支柱本体２４及びその上端及び下端からそれぞれ延び出している雄ねじ部２６及び２８を備えた支柱であって、雄ねじ部２８がベースに締結されて直立する支柱Ｐ１〜Ｐ４と、４個の壁と、支柱の各々の上端部に支持される屋根１４とを備えた組立式簡易ハウス。壁６及び１２の両側には２個の円筒部材６Ａ及び１２Ａが、壁８及び１０の両側には１個の円筒部材８Ｂ及び１０Ｂがそれぞれ配設され、対応する支柱に嵌合されて保持される。【選択図】図１
2012097411.tif 000002
【特許請求の範囲】
【請求項１】
少なくとも四つの角部に鉛直軸線を有する雌ねじ部が配設された四角形のベースと、円形外周面を有する支柱本体及び支柱本体の上端及び下端からそれぞれ延び出している支柱本体よりも小径の雄ねじ部を備えた複数の支柱であって、下端の雄ねじ部がベースの雌ねじ部に締結されて直立する複数の支柱と、相互に隣り合う支柱の対の間に保持される少なくとも１個の壁であって、全体として複数の対の間にそれぞれ保持される少なくとも１個の壁と、支柱の各々の上端部に支持される屋根とを備え、
壁の各々の鉛直に延びている両側には鉛直軸線を有する円形貫通穴が形成された少なくとも１個の嵌合部が配設され、壁の各々は、該嵌合部が対応する支柱の支柱本体に離脱可能に嵌合されて保持される、
ことを特徴とする組立式簡易ハウス。
【請求項２】
角部の各々に鉛直軸線を有する雌ねじ部が配設された、四角形を除く多角形のベースと、円形外周面を有する支柱本体及び支柱本体の上端及び下端からそれぞれ延び出している支柱本体よりも小径の雄ねじ部を備えた複数の支柱であって、下端の雄ねじ部がベースの雌ねじ部に締結されて直立する複数の支柱と、相互に隣り合う支柱の対の間に保持される少なくとも１個の壁であって、全体として複数の対の間にそれぞれ保持される少なくとも１個の壁と、支柱の各々の上端部に支持される屋根とを備え、
壁の各々の鉛直に延びている両側には鉛直軸線を有する円形貫通穴が形成された少なくとも１個の嵌合部が配設され、壁の各々は、該嵌合部が対応する支柱の支柱本体に離脱可能に嵌合されて保持される、
ことを特徴とする組立式簡易ハウス。
【請求項３】
それぞれ一側同士が同じ高さ位置で共通の支柱に保持される一対の壁が複数対備えられ、該一対の壁の各々は、該一側の嵌合部が相互に干渉しない高さ位置に配設されて対応する共通の支柱に嵌合される、請求項１又は請求項２に記載の組立式簡易ハウス。
【請求項４】
相互に隣り合う支柱の対の間であって全体として複数の対の間にはそれぞれ複数の壁が上下方向に積み重ねられて保持され、相対的に下に位置する壁の上端は水平に延びかつ、該上端には一定の上下方向幅及び一定の水平方向厚みを有する突条が壁の上端に沿って延びるよう配設され、相対的に上に位置する壁の下端は水平に延びかつ、該下端には下方に開放された溝が一定の高さで壁の下端に沿って延びるよう配設され、上に位置する壁は、その下端の溝が下に位置する壁の上端の突条に離脱可能に嵌合されて下に位置する壁に支持され、最下端に位置する壁はベースの上面に支持される、請求項１〜３のいずれか１項に記載の組立式簡易ハウス。
【請求項５】
屋根は、それぞれ矩形をなす一対の屋根板と屋根板の各々の一側部同士を連結するヒンジとを備えかつ一対の屋根板がヒンジの軸まわりに折り畳み可能な屋根板ユニットからなり、一対の屋根板には、屋根板の各々が水平位置から該軸まわりに下方に同じ角度回動して傾斜した取付状態において、支柱の各々に整合する位置に取付穴が形成され、該取付穴の各々が対応する支柱の雄ねじ部に離脱可能に嵌合されて雌ねじ部材により締結される、請求項１記載の組立式簡易ハウス。
【請求項６】
支柱の各々における支柱本体の上端は、雄ねじ部の外周面と支柱本体の外周面との間に形成される環状の水平上端面からなり、水平上端面の各々上には、軸線に直交する平面と該平面に対し傾斜した傾斜面とを有する第１傾斜ワッシャが傾斜面を上にして雄ねじ部に嵌合されて載置され、１個の屋根板ユニットにおける一対の屋根板又は複数の屋根板ユニットにおける全ての対の屋根板は第１傾斜ワッシャの傾斜面に載置されて該軸線を中心に傾斜面の傾斜角度に従ってそれぞれ同じ角度に傾斜させられ、屋根板の各々の上面から突出した雄ねじ部には、第１傾斜ワッシャと共通部品である第２傾斜ワッシャが傾斜面を下にして嵌合されて屋根板の各々の傾斜した上面に載置されかつ、該雌ねじ部材が締結されて第２傾斜ワッシャの平面を下方に押圧する、請求項５記載の組立式簡易ハウス。
【請求項７】
屋根は、平面から見て該多角形の中心から該多角形の頂点に向かって延びるよう一体に連結された複数の屋根梁と、それぞれ周方向に隣り合う屋根梁間に跨って配設された複数の屋根ユニットとを備え、
屋根梁の各々は、板梁であって、鉛直に延びる中心側端及び鉛直に延びる頂点側端であって中心側端よりも短い頂点側端と、中心側端の上端から頂点側端の上端まで下方に傾斜して延びる上端と、中心側端の下端から頂点側端の下端まで水平に延びる下端とを備えた板梁と、板梁の上端に配設された樋部材と、板梁の頂点側端に配設された嵌合部とを備え、
板梁の各々の中心側端部には、平面から見てそれぞれＶ形をなす複数の連結板がそれぞれ周方向に対向する屋根梁の対向面に重合されてそれぞれねじ部材により共締めされることにより屋根梁の各々は、該中心側端部において複数の連結板を介して相互に一体に連結され、屋根梁の各々の板梁に配設された嵌合部は支柱の各々の支柱本体の上端部に離脱可能に嵌合保持される、請求項２記載の組立式簡易ハウス。
【請求項８】
嵌合部は、円筒部材又は上下方向に間隔をおいて水平に延び出す一対の水平フランジからなる、請求項１〜４又は７のいずれか１項に記載の組立式簡易ハウス。
【請求項９】
嵌合部は円筒部材からなり、共通の支柱に保持される一方の壁の円筒部材は、該一側の上端部及び下端部に配設され、共通の支柱に保持される他方の壁の円筒部材は、該一側の上端部と下端部との間である中間部に配設される、請求項３又は請求項４記載の組立式簡易ハウス。
【請求項１０】
嵌合部は円筒部材からなり、共通の支柱に保持される一方の壁の円筒部材は、該一側の下半分の領域に配設され、共通の支柱に保持される他方の壁の円筒部材は、該一側の上半分の領域に配設される、請求項３又は請求項４記載の組立式簡易ハウス。
【発明の詳細な説明】
【技術分野】
【０００１】
本発明は、ベースと、ベースに締結されて直立する複数の支柱と、相互に隣り合う支柱の対の間、全体として複数の対の間にそれぞれ保持される少なくとも１個の壁と、支柱の各々の上端部に支持される屋根とを備え、壁の各々の両側には嵌合部が配設され、壁の各々は、該嵌合部が対応する支柱に離脱可能に嵌合されて保持される、組立式簡易ハウスに関する。
【背景技術】
【０００２】
特許文献１には、台部分１と、鋼鉄製パイプの柱２と、壁４と、扉５と、屋根３とを備えた組立式簡易ハウス（簡易組立式トイレ）が開示されている。柱２は、台部分１の四隅に配設された柱受けのソケットに差し込んで直立させられる。壁４は、両側に配設されたピンを一対の柱２の穴に嵌め込んで取り付けられる。扉５は、片側に配設した環（ヒンジ）を柱２に嵌合して支持される。屋根３は、上端が閉塞された穴を介して柱２の上端部に差し込んで支持される。各差し込み部には抜け止め手段が施される。
【先行技術文献】
【特許文献】
【０００３】
【特許文献１】特開平１１−０４４１１０号公報
【発明の概要】
【発明が解決しようとする課題】
【０００４】
特許文献１に開示された上記組立式簡易ハウスにおいては、多くの構成部材が差し込み方式により組み立てられるので、全体をしっかりと組み立てることが不可能ではないにしても著しく困難である。特に、壁４は、相互に隣り合う柱２と柱２との間に挿入されて両側に配設されたピンを柱２の各々の穴に嵌め込んで取り付けられるので、抜け止め手段が施されてはいるものの、組付け後には幅方向に相当のガタが生ずるとともに、幅方向にかなりの隙間が生ずるので、上記課題の解決を一層困難にしている。
【０００５】
本発明の目的は、機械などを使用することなく短時間で容易にかつしっかりと組み立てること及び短時間で容易に分解することが可能である、新規な組立式簡易ハウスを提供することである。
本発明の他の目的は、基本的な構成を利用して、要求される種々の用途に対しそれぞれに適応した種々の形態に構築することができる、新規な組立式簡易ハウスを提供することである。
本発明の更に他の目的は、構成が簡単で軽量かつコンパクトであり、低コストで製作することができる、新規な組立式簡易ハウスを提供することである。
【課題を解決するための手段】
【０００６】
本発明の一局面によれば、少なくとも四つの角部に鉛直軸線を有する雌ねじ部が配設された四角形のベースと、円形外周面を有する支柱本体及び支柱本体の上端及び下端からそれぞれ延び出している支柱本体よりも小径の雄ねじ部を備えた複数の支柱であって、下端の雄ねじ部がベースの雌ねじ部に締結されて直立する複数の支柱と、相互に隣り合う支柱の対の間に保持される少なくとも１個の壁であって、全体として複数の対の間にそれぞれ保持される少なくとも１個の壁と、支柱の各々の上端部に支持される屋根とを備え、壁の各々の鉛直に延びている両側には鉛直軸線を有する円形貫通穴が形成された少なくとも１個の嵌合部が配設され、壁の各々は、該嵌合部が対応する支柱の支柱本体に離脱可能に嵌合されて保持される、ことを特徴とする組立式簡易ハウス、が提供される。
本発明の他の局面によれば、角部の各々に鉛直軸線を有する雌ねじ部が配設された、四角形を除く多角形のベースと、円形外周面を有する支柱本体及び支柱本体の上端及び下端からそれぞれ延び出している支柱本体よりも小径の雄ねじ部を備えた複数の支柱であって、下端の雄ねじ部がベースの雌ねじ部に締結されて直立する複数の支柱と、相互に隣り合う支柱の対の間に保持される少なくとも１個の壁であって、全体として複数の対の間にそれぞれ保持される少なくとも１個の壁と、支柱の各々の上端部に支持される屋根とを備え、壁の各々の鉛直に延びている両側には鉛直軸線を有する円形貫通穴が形成された少なくとも１個の嵌合部が配設され、壁の各々は、該嵌合部が対応する支柱の支柱本体に離脱可能に嵌合されて保持される、ことを特徴とする組立式簡易ハウス、が提供される。
それぞれ一側同士が同じ高さ位置で共通の支柱に保持される一対の壁が複数対備えられ、該一対の壁の各々は、該一側の嵌合部が相互に干渉しない高さ位置に配設されて対応する共通の支柱に嵌合される、ことが好ましい。
相互に隣り合う支柱の対の間であって全体として複数の対の間にはそれぞれ複数の壁が上下方向に積み重ねられて保持され、相対的に下に位置する壁の上端は水平に延びかつ、該上端には一定の上下方向幅及び一定の水平方向厚みを有する突条が壁の上端に沿って延びるよう配設され、相対的に上に位置する壁の下端は水平に延びかつ、該下端には下方に開放された溝が一定の高さで壁の下端に沿って延びるよう配設され、上に位置する壁は、その下端の溝が下に位置する壁の上端の突条に離脱可能に嵌合されて下に位置する壁に支持され、最下端に位置する壁はベースの上面に支持される、ことが好ましい。
相互に隣り合う支柱の対であって少なくとも一対の支柱の間には２個の壁が上下方向に間隔をおいて対向するよう保持され、該２個の壁のうち下の壁は、ベースの上面に支持され、又は少なくとも１個の壁を介してベースの上面に支持され、上の壁は、対応する支柱の支柱本体に嵌合された上の壁の嵌合部と下の壁の嵌合部との間に介在されて嵌合された１個又は複数の円筒部材を介して下の壁に支持される、ことが好ましい。
相互に隣り合う支柱の対であって少なくとも一対の支柱の間には１個のドアが回動可能に保持され、ドアの鉛直に延びている片側には鉛直軸線を有する円形貫通穴が形成された嵌合部が上下方向に間隔を置いて複数個配設され、ドアは、該嵌合部が該支柱の対における片方の支柱の支柱本体に回動可能にかつ離脱可能に嵌合される、ことが好ましい。
屋根は、それぞれ矩形をなす一対の屋根板と屋根板の各々の一側部同士を連結するヒンジとを備えかつ一対の屋根板がヒンジの軸まわりに折り畳み可能な屋根板ユニットからなり、一対の屋根板には、屋根板の各々が水平位置から該軸まわりに下方に同じ角度回動して傾斜した取付状態において、支柱の各々に整合する位置に取付穴が形成され、該取付穴の各々が対応する支柱の雄ねじ部に離脱可能に嵌合されて雌ねじ部材により締結される、ことが好ましい。
ベースには４個の支柱が配設され、相互に隣り合う支柱の対の間にはそれぞれ１個の壁が保持され、壁の各々の下端は水平に延びてベースの上面に載置され、屋根板ユニットの該軸方向の両端に位置して該軸方向に直交する方向に延びる一対の壁の上端は、それぞれ一対の屋根板の下面に沿って傾斜方向に延びるよう傾斜しており、屋根板ユニットの該軸方向に延びるよう位置する一対の壁の上端は、それぞれ一対の屋根板の下面に沿って該軸方向に水平に延びている、ことが好ましい。
相互に隣り合う支柱の対の間であって全体として複数の対の間にはそれぞれ複数の壁が上下方向に積み重ねられて保持され、屋根板ユニットの該軸方向の両端に位置して該軸方向に直交する方向に延びる複数の壁のうち最上位に位置する壁の上端は、屋根板の各々の下面に沿って傾斜方向に延びるよう傾斜しており、屋根板ユニットの両側部をそれぞれ該軸方向に延びる複数の壁のうち最上位に位置する壁の上端は、それぞれ屋根板の各々の下面に沿って該軸方向に水平に延びている、ことが好ましい。
屋根は、それぞれ矩形をなす一対の屋根板と屋根板の各々の一側部同士を連結するヒンジとを備えかつ一対の屋根板がヒンジの軸まわりに折り畳み可能な屋根板ユニットが複数個、各々の軸が共通の仮想水平軸線に沿って位置するよう併設されてなり、屋根板ユニットの各々における一対の屋根板には、一対の屋根板がそれぞれ水平位置から該軸まわりに下方に同じ角度回動して傾斜した取付状態において、該取付穴が対応する支柱と整合するよう位置付けられ、該軸線方向の両端に位置する両端屋根板ユニットの各々は、該取付状態において該軸線方向の外側端部にベースの該両端の二つの角部の支柱に対応して該取付穴が形成されて該支柱の各々に支持され、両端に位置する屋根板ユニットの各々に対し該軸線方向の内方に位置する少なくとも１個の中間屋根板ユニットには、該取付状態において該軸線方向の中間位置であって該軸線方向に直交する幅方向の両側部に、それぞれ１個の該取付穴が形成され、又はそれぞれ複数個の該取付穴が該軸線方向に間隔をおいて形成され、ベースの該幅方向の両側部の対称位置には、該取付穴に対応してそれぞれ１個又は複数個の支柱が配設され、それぞれ該１個の支柱間又は複数個の支柱間には屋根梁が保持され、屋根梁は、鉛直に延びている両側を備えかつ該両側には該嵌合部が配設されるとともに、該嵌合部が対応する支柱の支柱本体に離脱可能に嵌合・保持され、屋根梁の上端は、それぞれ中間屋根板ユニットの一対の屋根板の下面に沿って傾斜方向に延びるよう傾斜しており、両端屋根板ユニットにおける一対の屋根板の該軸線方向の内側に位置する端部の各々は、両端屋根板ユニットの各々の該軸線方向の内方に位置する中間屋根板ユニットにおける一対の屋根板の該軸線方向の外側に位置する端部の各々に対し上から重ねられるよう配置される、ことが好ましい。
両端屋根板ユニットにおける一対の屋根板の該軸線方向の内側に位置する端部の各々には内側補強板が取り付けられ、内側補強板は、該端部の各々に嵌合・固着されたチャンネル部と、チャンネル部の上端から該軸線方向の内方に張り出す張出部と、張出部の先端から垂下する下向きフランジ部とを備え、中間屋根板ユニットにおける一対の屋根板の該軸線方向の外側に位置する端部であって両端屋根板ユニットに対し最も近い位置に存在する端部の各々には外側補強板が取り付けられ、外側補強板は、該端部の各々に嵌合・固着されたチャンネル部と、チャンネル部の下端から該軸線方向の外方に張り出す張出部と、張出部の先端から上方に延び出す上向きフランジ部とを備え、両端屋根板ユニットの内側補強板の各々の張出部及び下向きフランジ部は、対応する中間屋根板ユニットの外側補強板の張出部及び上向きフランジ部に対し上から覆うよう配置される、ことが好ましい。
支柱の各々における支柱本体の上端は、雄ねじ部の外周面と支柱本体の外周面との間に形成される環状の水平上端面からなり、水平上端面の各々上には、軸線に直交する平面と該平面に対し傾斜した傾斜面とを有する第１傾斜ワッシャが傾斜面を上にして雄ねじ部に嵌合されて載置され、１個の屋根板ユニットにおける一対の屋根板又は複数の屋根板ユニットにおける全ての対の屋根板は第１傾斜ワッシャの傾斜面に載置されて該軸線を中心に傾斜面の傾斜角度に従ってそれぞれ同じ角度に傾斜させられ、屋根板の各々の上面から突出した雄ねじ部には、第１傾斜ワッシャと共通部品である第２傾斜ワッシャが傾斜面を下にして嵌合されて屋根板の各々の傾斜した上面に載置されかつ、該雌ねじ部材が締結されて第２傾斜ワッシャの平面を下方に押圧する、ことが好ましい。
相互に隣り合う支柱の対の間であって全体として複数の対の間にはそれぞれ複数の壁が上下方向に積み重ねられて保持され、該両端屋根板ユニットの該軸方向の外側端部をそれぞれ該軸方向に直交する方向に延びる複数の壁のうち最上位に位置する壁の上端は、それぞれ屋根板の各々の下面に沿って傾斜方向に延びるよう傾斜しており、屋根板ユニットの各々の両側部をそれぞれ該軸方向に延びる複数の壁のうち最上位に位置する壁の上端は、それぞれ屋根板ユニットの各々における屋根板の各々の下面に沿って該軸方向に水平に延びている、ことが好ましい。
１個の屋根板ユニットにおける一対の屋根板の頂部又は複数個の屋根板ユニットにおける全ての対の屋根板の頂部は、カバー部材により上方から離脱可能に覆われ、カバー部材は、横断面が屋根板の頂部と同じ角度の等辺を有しかつ屋根板ユニットのヒンジの軸方向の一端から他端まで直線状に延在する山形のカバー板と、カバー板の両端を覆うよう固着された三角形の端板とからなりかつ、山形のカバー板が該一対の屋根板の頂部又は該全ての対の屋根板の頂部を上方から覆い、三角形の端板が一対の屋根板の頂部の両端又は該全ての対の屋根板の頂部の両端を外側から覆う、ことが好ましい。
屋根は、平面から見て該多角形の中心から該多角形の頂点に向かって延びるよう一体に連結された複数の屋根梁と、それぞれ周方向に隣り合う屋根梁間に跨って配設された複数の屋根ユニットとを備え、屋根梁の各々は、板梁であって、鉛直に延びる中心側端及び鉛直に延びる頂点側端であって中心側端よりも短い頂点側端と、中心側端の上端から頂点側端の上端まで下方に傾斜して延びる上端と、中心側端の下端から頂点側端の下端まで水平に延びる下端とを備えた板梁と、板梁の上端に配設された樋部材と、板梁の頂点側端に配設された嵌合部とを備え、板梁の各々の中心側端部には、平面から見てそれぞれＶ形をなす複数の連結板がそれぞれ周方向に対向する屋根梁の対向面に重合されてそれぞれねじ部材により共締めされることにより屋根梁の各々は、該中心側端部において複数の連結板を介して相互に一体に連結され、屋根梁の各々の板梁に配設された嵌合部は支柱の各々の支柱本体の上端部に離脱可能に嵌合保持される、ことが好ましい。
屋根梁の各々の樋部材は、下方に開放された下向き取付チャンネル板部と、下向き取付チャンネル板部の上側に一体に配設された樋板部とからなり、下向き取付チャンネル板部は、一定の水平方向幅で水平に延びる天壁と、天壁の両側から下方に直角に延び出す下側壁とからなり、樋板部は、下向き取付チャンネル板部の天壁と、天壁から両側外方に水平に延び出す下フランジと、下フランジの各々の先端から上方に直角に延び出す上側壁と、上側壁の上端から直角に相互に接近する方向に延び出して先端間に一定の間隔を形成する上フランジとからなり、下向き取付チャンネル板部が板梁の各々の上端に嵌合されて固着され、屋根ユニットの各々は、台形の屋根板と、屋根板の平行でない対辺であって、周方向に隣り合う板梁と同じ周方向角度で延びる対辺に配設された係止チャンネル部材とからなり、係止チャンネル部材は、水平横方向に開放された横向き取付チャンネル板部と、横向き取付チャンネル板部の下側に一体に配設された横向き係止チャンネル板部とからなり、横向き取付チャンネル板部は、一定の上下方向幅で水平に延びる天壁と、天壁の上端及び下端から水平同方向に直角に延び出す上側壁及び下側壁とからなり、横向き係止チャンネル板部は、横向き取付チャンネル板部の天壁の下端から下方に延び出す係止天壁と、横向き取付チャンネル板部の下側壁と、係止天壁の下端から直角に横向き取付チャンネル板部の下側壁の下方を平行に該下側壁よりも短い長さだけ延び出す下係止側壁とからなり、横向き取付チャンネル板部が屋根板の該対辺に嵌合されて固着され、屋根ユニットの各々は、各々の横向き係止チャンネル板部の下係止側壁の先端が、周方向に隣り合う板梁の各々の樋板部における上フランジの各々のうち、該周方向内側に位置する上フランジの先端に対し周方向外側に位置付けられた状態で下降させられて横向き取付チャンネル板部の下側壁が該上フランジの上面に載置され、更に半径方向外方にスライドさせられることにより、横向き係止チャンネル板部の係止天壁の該周方向内側面が該上フランジの先端に当接してスライドが停止されて離脱可能に固着される、ことが好ましい。
嵌合部は、円筒部材又は上下方向に間隔をおいて水平に延び出す一対の水平フランジからなる、ことが好ましい。
嵌合部は円筒部材からなり、共通の支柱に保持される一方の壁の円筒部材は、該一側の上端部及び下端部に配設され、共通の支柱に保持される他方の壁の円筒部材は、該一側の上端部と下端部との間である中間部に配設される、ことが好ましい。
嵌合部は円筒部材からなり、共通の支柱に保持される一方の壁の円筒部材は、該一側の下半分の領域に配設され、共通の支柱に保持される他方の壁の円筒部材は、該一側の上半分の領域に配設される、ことが好ましい。
支柱の各々は、相互に分離可能に連結される２個の支柱であって、上支柱及び下支柱からなり、上支柱は、支柱本体の上端及び下端からそれぞれ延び出している支柱本体よりも小径の雄ねじ部を備え、下支柱は、支柱本体の上端部において上端から下方に延びる雌ねじ部と、支柱本体の下端から延び出している支柱本体よりも小径の雄ねじ部とを備え、下支柱は、下端の雄ねじ部がベースの雌ねじ部に締結され、上支柱は、下端から延び出している雄ねじ部が下支柱の上端部の雌ねじ部に締結されることにより下支柱と一体に固着される、ことが好ましい。
支柱の各々は、相互に分離可能に連結される複数の支柱であって、最上端に位置する最上端支柱と、最下端に位置する最下端支柱と、中間に位置する少なくとも１個の中間支柱とからなり、最上端に位置する最上端支柱は、支柱本体の上端及び下端からそれぞれ延び出している支柱本体よりも小径の雄ねじ部を備え、最下端に位置する最下端支柱及び中間に位置する中間支柱は、それぞれ支柱本体の上端部において上端から下方に延びる雌ねじ部と、支柱本体の下端から延び出している支柱本体よりも小径の雄ねじ部を備え、最下端支柱は、下端の雄ねじ部がベースの雌ねじ部に締結され、中間支柱が１個の場合、該中間支柱は、下端の雄ねじ部が最下端支柱の上端から雌ねじ部に締結されることにより最下端支柱と一体に固着され、最上端支柱は、下端の雄ねじ部が該中間支柱の上端から雌ねじ部に締結されることにより該中間支柱と一体に固着され、中間支柱が複数個の場合、最下端支柱の直上方に位置する中間支柱は、下端の雄ねじ部が最下端支柱の上端から雌ねじ部に締結されることにより最下端支柱と一体に固着され、複数個の中間支柱のうち相対的に上に位置する中間支柱は、下端の雄ねじ部が相対的に下に位置する中間支柱の上端から雌ねじ部に締結されることにより相対的に下に位置する中間支柱と一体に固着され、最上端支柱は、下端の雄ねじ部が最上端支柱の直下方に位置する中間支柱の上端から雌ねじ部に締結されることにより直下方に位置する中間支柱と一体に固着される、ことが好ましい。
【発明の効果】
【０００７】
本発明に係る組立式簡易ハウスによれば、機械などを使用することなく短時間で容易にかつしっかりと組み立てること及び短時間で容易に分解することが可能である、基本的な構成を利用して、要求される種々の用途に対しそれぞれに適応した種々の形態に構築することができる、構成が簡単で軽量かつコンパクトであり、低コストで製作することができる、分解した後、人がレジャー用キャリーバッグなどに収納し、携帯して持ち運ぶことを可能にする、あるいはトラックなどの輸送手段により梱包乃至箱詰めした状態で搬送しかつ保管することを可能にする、などの効果が得られる。
【図面の簡単な説明】
【０００８】
【図１】本発明に従って構成された組立式簡易ハウスの実施形態を示す正面図である。
【図２】図１に示す組立式簡易ハウスの右側面図である。
【図３】図１に示す組立式簡易ハウスの背面図である。
【図４】図１に示す組立式簡易ハウスの平面図である。
【図５】図１に示す組立式簡易ハウスのベースを、ベースに装着されたフロアの一部を省略して示す平面図である。
【図６】図１に示す組立式簡易ハウスのベース（左前角部）と支柱と屋根とを組付ける構成を説明するための側面概略図であって、一部を分解し省略しかつ断面にして示す側面概略図である。
【図７】図１に示す組立式簡易ハウスの正面の前壁を示す正面拡大図である。
【図８】図７に示す前壁の上面図であって、一部を省略して示す上面図である。
【図９】図２に示す組立式簡易ハウスの側壁を側面から見た図である。
【図１０】図３に示す組立式簡易ハウスの背面の後壁を背面から見た図である。
【図１１】本発明に従って構成された組立式簡易ハウスの他の実施形態を示す斜視図である。
【図１２】図１１に示す組立式簡易ハウスを、一部を破断しかつ他の一部を分解し、更にドアを開いて示す図である。
【図１３】図１１に示す組立式簡易ハウスにおいてドアの上方に配設された壁の正面図である。
【図１４】図１１に示す組立式簡易ハウスにおけるドアの正面図である。
【図１５】図１１に示す組立式簡易ハウスの、図１１において左側角部におけるベースと支柱と壁とを組付ける構成を説明するための、一部を分解して示す部分図である。
【図１６】図１５に示す上下の壁の構成を示す断面図であって、一部を省略して示す断面図である。
【図１７】本発明に従って構成された組立式簡易ハウスの更に他の実施形態を示す正面図である。
【図１８】図１７に示す組立式簡易ハウスの背面図である。
【図１９】図１７に示す組立式簡易ハウスの側面図である。
【図２０】図１７に示す組立式簡易ハウスの平面図である。
【図２１】図１７に示す組立式簡易ハウスに配設される屋根梁の正面図である。
【図２２】（ａ）は図２１のＡ部を拡大して示す図、（ｂ）は（ａ）の上面図である。
【図２３】図１９のＢ部を拡大して示す図である。
【図２４】図２３において右側の屋根板に固着された補強板の拡大断面図である。
【図２５】本発明に従って構成された組立式簡易ハウスの更に他の実施形態を示す斜視図である。
【図２６】本発明に従って構成された組立式簡易ハウスの更に他の実施形態を示す斜視図であって、一部を省略した平面図を併記した斜視図である。
【図２７】図２６に示す組立式簡易ハウスにおけるベースの平面図である。
【図２８】図２６に示す組立式簡易ハウスにおける屋根の拡大平面図である。
【図２９】図２８に示す屋根において半径方向に直線状に位置する一対の屋根梁と屋根ユニットとカバーとを分解して示す概略図であって、一対の屋根梁を該半径方向に直交する水平方向から見た概略図である。
【図３０】図２８に示す屋根の一部を半径方向外方から見た斜視拡大概略図である。
【図３１】屋根梁と屋根ユニットとの取付部を分解して示す拡大断面図である。
【図３２】中央部が一体に連結された複数の屋根梁の一部を示す平面図である。
【図３３】複数の屋根梁の中央部を一体に連結する複数の連結板を取付状態に配置して示す平面図である。
【図３４】図３３に示す複数の連結板を、図３３において下方から見た側面図である。
【図３５】屋根ユニットの平面図である。
【図３６】本発明に従って構成された組立式簡易ハウスの更に他の実施形態を示す斜視図である。
【図３７】本発明に従って構成される組立式簡易ハウスに備えられる一対の壁であって、図示しない共通の支柱に保持される一対の壁の他の実施形態を示す斜視図である。
【図３８】本発明に従って構成される組立式簡易ハウスに備えられる壁の更に他の実施形態を示す斜視図である。
【図３９】本発明に従って構成される組立式簡易ハウスに備えられる支柱の他の実施形態を示す分解図であって、一部を省略して示す正面図である。
【図４０】本発明に従って構成される組立式簡易ハウスに備えられる壁における円筒部材の配列の形態の典型例を示す正面概略図である。
【発明を実施するための形態】
【０００９】
以下、本発明に従って構成された組立式簡易ハウスの実施の形態を、添付図面を参照して詳細に説明する。先ず図１〜図４を参照して、組立式簡易ハウスである犬小屋１は、平面形状が四角形（矩形）のベース２と、４個の支柱Ｐ１、Ｐ２、Ｐ３及びＰ４と、４個の壁６、８、１０及び１２と、屋根１４とを備えている。
【００１０】
ベース２は、図５及び図６に示されているように、平面形状が矩形の枠体１６と、枠体１６の四つの角部に配設された雌ねじ部１８と、枠体１６に固着された床板２０とを備えている。枠体１６は、横断面が四角形の金属管、実施形態においては鋼管２２を４個溶着することにより形成されている。雌ねじ部１８は、内周面に雌ねじが形成された金属製円筒部材からなり、枠体１６の四つの角部内に周知の方法により位置付けられて溶着される。枠体１６の上面及び雌ねじ部１８の各々の上端面は共通の平面上に位置付けられ、枠体１６の下面及び雌ねじ部１８の各々の下端面は、該平面に平行な他の共通の平面上に位置付けられる。雌ねじ部１８の各々の軸線は、それぞれ鉛直軸線上に位置付けられる。床板２０は、一定の厚みを有する板であって、木材、合成樹脂など、用途に対応した適宜の材料から形成され、例えば不図示のねじ部材により枠体１６の上面の内側縁部に固着される。
【００１１】
支柱Ｐ１〜Ｐ４は相互に共通部品からなるので、支柱Ｐ１について説明する。支柱Ｐ１は、図６に示されているように、円形外周面を有する金属管（例えば鋼管）からなる支柱本体２４と、支柱本体２４の上端及び下端からそれぞれ延び出している支柱本体２４よりも小径の雄ねじ部２６及び２８を備えている。雄ねじ部２６及び２８は、それぞれ雄ねじ部２６及び２８を備えたボルトの頭を支柱本体２４の上端部内及び下端部内に挿入し、溶着することにより構成されている。支柱本体２４の上端は、雄ねじ部２６の外周面と支柱本体２４の外周面との間に形成される環状の水平上端面２４Ｕ（実施形態においては、支柱本体２４の上端面とボルトの頭の雄ねじ部２６側の面）からなり、下端は、雄ねじ部２８の外周面と支柱本体２４の外周面との間に形成される環状の水平下端面２４Ｌ（実施形態においては、支柱本体２４の下端面とボルトの頭の雄ねじ部２８側の面）からなる。そして４個の支柱Ｐ１〜Ｐ４は、下端の雄ねじ部２８がベース２の対応する雌ねじ部１８に上面から締結されて直立している。支柱本体２４の各々の下端である環状の水平下端面２４Ｌは、対応する雌ねじ部１８の各々の上端面及び枠体１６の上面に圧接される。
【００１２】
図１、図４、図７及び図８を参照して、犬小屋１を図１に示す正面から見て、前記図の各々における左右方向（幅方向）に間隔をおいて隣り合う支柱Ｐ１Ｐ及びＰ２の対の間に保持される前壁６は、一定の厚みを有する板からなる前壁本体６Ｗを備えている。前壁本体６Ｗは、鉛直に延びている幅方向の両側６ａ及び６ｂと、両側６ａ及び６ｂの下端間を水平に延びる下端６ｃと、両側６ａ及び６ｂの上端間を延びる上端６ｄとを備えている。前壁本体６Ｗの中央部には、犬の出入口である開口６ｅが形成されている。上端６ｄは、幅方向中央から両側上端に向かって同じ角度で下方に傾斜している。
【００１３】
前壁本体６Ｗの両側６ａ及び６ｂの全域には、それぞれ枠体３０が配設されている。枠体３０の各々は、直線状に延びるチャンネル板３２と、チャンネル板３２の各々の底部における上端部及び下端部の外面に溶着された嵌合部である金属製の円筒部材６Ａとを備えている。チャンネル板３２の各々及び円筒部材６Ａの各々は相互に共通部品からなる。枠体３０の各々は、チャンネル板３２の各々が前壁本体６Ｗの両側６ａ及び６ｂを覆うよう嵌め込まれ、圧入、接着、ねじ止めなどの固着手段により固着される。円形貫通穴を有する円筒部材６Ａは、前壁本体６Ｗの該幅方向における上端部及び下端部の左右対称位置に位置付けられる。また両側６ａ及び６ｂにおいてそれぞれ上下に位置する円筒部材６Ａは、それぞれ共通の鉛直軸線上に位置付けられる。前壁本体６ＷＡの両側６ａ及び６ｂにおいて、円筒部材６Ａの各々の上下方向の間隔は同じであり、円筒部材６Ａの各々の下端は、前壁本体６Ｗの下端６ｃと共通の平面上に位置付けられているが、上端は前壁本体６Ｗの上端６ｄの両側よりも若干低い位置に位置付けられている。
【００１４】
図２、図４及び図９を参照して、犬小屋１を前記正面から見た右側において前後方向（図２及び図９において左右方向、図４において上下方向）に間隔をおいて隣り合う支柱Ｐ２及びＰ３の対の間に保持される側壁８は、一定の厚みを有する板からなる側壁本体８Ｗを備えている。矩形である側壁本体８Ｗは、前後方向の両側８ａ及び８ｂと、両側８ａ及び８ｂの下端間及び上端間をそれぞれ水平に延びる下端８ｃ及び上端８ｄとを備えている。側壁本体８Ｗには、複数の通気孔８ｅが形成されている。
【００１５】
側壁本体８Ｗの両側８ａ及び８ｂの全域には、それぞれ枠体３４が配設されている。枠体３４の各々は、直線状に延びるチャンネル板３６と、チャンネル板３６の各々の底部における上下方向中央部の外面に溶着された嵌合部である金属製の円筒部材８Ｂとを備えている。チャンネル板３６の各々及び円筒部材８Ｂの各々は相互に共通部品からなる。円筒部材８Ｂの各々は、上記円筒部材６Ａの各々とは長さが相違するが、共通の金属管から形成される。枠体３４の各々は、先に述べた枠体３０と同じ如くして側壁本体８Ｗの両側８ａ及び８ｂを含む両側部に固着される。円筒部材８Ｂは、側壁本体８Ｗの前後方向における中央部の左右対称位置に位置付けられる。円筒部材８Ｂの各々の該軸線方向（上下方向）の長さは、側壁本体６Ｗ（図７）の両側６ａ及び６ｂにおける円筒部材６Ａの各々の該軸線方向の間隔と同じ又はわずかに小さく設定されている。また、円筒部材８Ｂの各々の下端と側壁本体８Ｗの両側８ａの下端８ｃとの該軸線方向の距離は、側壁本体６Ｗ（図７）の下端部の円筒部材６Ａの各々の該軸線方向の長さとほぼ同じに設定されている。また、円筒部材８Ｂの各々の上端と側壁本体８Ｗの両側８ａ及び８ｂの上端８ｄとの該軸線方向の距離は、側壁本体６Ｗ（図７）の上端部の円筒部材６Ａの各々の下端と側壁本体６Ｗの両側６ａ及び６ｂの上端６ｄとの該軸線方向の距離とほぼ同じに設定されている。
【００１６】
犬小屋１を前記正面から見た左側において前後方向に間隔をおいて隣り合う支柱Ｐ１及びＰ４の対の間に保持される側壁１０は、犬小屋１を前記正面から見た右側に位置する側壁８と実質的に同じ形状及び大きさを有しているので、詳細な図示及び説明は省略する。なお、図９において、括弧内は、側壁１０の、側壁８に対応する部分の符号を示している。
【００１７】
図３、図４及び図１０を参照して、犬小屋１を図１に示す正面と反対側の背面から見て、前記図の各々における左右方向（幅方向）に間隔をおいて隣り合う支柱Ｐ３及びＰ４の対の間に保持される後壁１２は、前壁６と実質的に同じ形状及び大きさを有しているので説明は省略する。なお、図１０において、符号は、後壁１２の、前壁６に対応する部分の符号を示している。ただし符号１２ｅは通気孔を示している。
【００１８】
前壁本体６Ｗ、側壁本体８Ｗ、側壁本体１０Ｗ及び後壁本体１２Ｗは、それぞれ一定の厚みを有する、ベニヤ、合板などの板であって、木材、合成樹脂など、用途に対応した適宜の材料から形成され、各々の両側（符号は省略）の高さは相互に同じである。枠体３０、３４、３７及び４０は、ステンレスなどの鋼、アルミニウムなど適宜の金属から形成される。円筒部材６Ａ、８Ｂ、１０Ｂ及び１２Ａの内径は、支柱Ｐ１〜Ｐ４の各々の支柱本体２４に対し離脱可能に嵌合しうるよう、支柱本体２４の外径よりも大きく形成されている。上記チャンネル板３２、３６、３８及び４２の各々は共通部品からなる。
【００１９】
壁６〜１２の支柱Ｐ１〜Ｐ４への保持は例えば次のようにして行なわれる。図１〜図４及び図６を参照して、先ず、右の側壁８の前側の円筒部材８Ｂを前壁６の右側の円筒部材６Ａの各々間に配置してほぼ同一軸線上に位置付け、１本目の支柱Ｐ２を嵌合して下端の雄ねじ部２８をベース２の右前角部の雌ねじ部１８に締結して直立させる。続いて左の側壁１０の前側の円筒部材１０Ｂを前壁６の左側の円筒部材６Ａの各々間に配置してほぼ同一軸線上に位置付け、２本目の支柱Ｐ１を嵌合して下端の雄ねじ部２８をベース２の左前角部の雌ねじ部１８に締結して直立させる。更に後壁１２の左右それぞれ２個の円筒部材１２Ａを、右の側壁８及び左の側壁１０の各々の後側の円筒部材８Ｂを上下に挟んで位置付けてほぼ同一軸線上に位置付け、３本目及び４本目の支柱Ｐ３及びＰ４をそれぞれ嵌合して下端の雄ねじ部２８をベース２の右後角部及び左後角部の雌ねじ部１８に締結して直立させる。壁６〜１２は、ベース２の四つの角部に直立した支柱Ｐ１〜Ｐ４の各々間に離脱可能に嵌合されて保持される。壁６〜１２（図７〜図１０）の各々の荷重は、壁本体６Ｗ〜１２Ｗの各々の下端６ｃ〜１２ｃの各々がベース２の枠体１６の上面に載置されることにより支持される。
【００２０】
図１〜図４を参照して、屋根１４は屋根板ユニット１４Ｕからなる。屋根板ユニット１４Ｕは、それぞれ縦長矩形で同形である一対の屋根板５０と、屋根板５０の各々の一側部同士を連結する２個のヒンジＨと、カバー部材５２とを備えている。ヒンジＨの各々は前後方向に間隔をおいて屋根板５０の各々の一側部間に跨って内側面に固着され、各々の軸Ｈ１は共通の水平軸線上に位置付けられる。屋根板５０の各々は、木材、合成樹脂など適宜の材料から形成され、一側面が相互に対向する水平位置（不図示）と、水平位置からヒンジＨの各々の軸Ｈ１まわりに下方に同じ角度（９０°未満）回動して傾斜した傾斜位置（取付状態：図１〜図４）と、水平位置から軸Ｈ１まわりに下方にそれぞれ９０°回動した折畳位置（不図示）との間を相対移動可能である。屋根板５０の各々には、それぞれ支柱Ｐ１〜Ｐ４の各々に対応して取付穴５４（図６）が形成されている。
【００２１】
屋根板５０の各々がそれぞれ水平位置から軸Ｈ１まわりに下方に同じ角度回動して傾斜した取付状態において、取付穴５４の各々は、対応する支柱４と整合するよう位置付けられる。屋根１４は、一対の屋根板５０の取付穴５４の各々が対応する支柱Ｐ１〜Ｐ４の上端側の雄ねじ部２６に離脱可能に嵌合され、後述するとおりにして雌ねじ部材であるナット６２（図６）により締結されて支持される。
【００２２】
図６を参照して更に具体的に説明すると、支柱Ｐ１〜Ｐ４の各々の水平上端面２４Ｕ上には、軸線に直交する平面と該平面に対し傾斜した傾斜面とを有する第１傾斜ワッシャ５６が、平面を下に傾斜面を上にして雄ねじ部２６に嵌合されて載置される。第１傾斜ワッシャ５６の傾斜面には、雄ねじ部２６に嵌合されたプレーンワッシャ５８が載置される。第１傾斜ワッシャ５６の傾斜面は、一対の屋根板５０の傾斜位置に対応して位置付けられる。一対の屋根板５０は、第１傾斜ワッシャ５６の各々の傾斜面に載置されてヒンジＨの軸Ｈ１（図１及び図４）の各々の軸線を中心に該傾斜面の傾斜角度に従ってそれぞれ同じ角度に傾斜させられる（図１及び図３）。屋根板５０の各々の上面から突出した雄ねじ部２６には、プレーンワッシャ５８が嵌合されて屋根板５０の各々の傾斜した上面に載置され、続いて第１傾斜ワッシャ５６と共通部品である第２傾斜ワッシャ６０が、傾斜面を下に平面を上にして雄ねじ部２６に嵌合され、屋根板５０の各々の傾斜した上面にプレーンワッシャ５８を介して載置される。雄ねじ部２６には、更にナット６２が締結されて第２傾斜ワッシャ６０の水平な平面（上面）を下方に押圧する。ゴム製のキャップ６４がナット６２を上方から覆うよう嵌合される。キャップ６４は、ナット６２の保護（含む：水の浸入防止）、外観の確保などに寄与する。第１傾斜ワッシャ５６及び第２傾斜ワッシャ６０の利用は、屋根板５０の各々の傾斜角度を容易に設定することが可能となり、実用上有用である。
【００２３】
図１〜図４を参照して、一対の屋根板５０の山形の頂部は、カバー部材５２により上方から離脱可能に覆われて、屋根１の頂部からの水漏れが防止される。カバー部材５２は、横断面が一対の屋根板５０の頂部と同じ角度の等辺を有しかつ一対の屋根板５０の、ヒンジＨの各々における軸方向の一端から他端まで直線状に延在する山形のカバー板５２Ａと、カバー板５２Ａの両端を覆うよう固着された端板５２Ｂとからなる。端板５２Ｂの各々は、山形の上端と鉛直に延びる両側と水平に延びる下端とを有している。カバー板５２Ａは、一対の屋根板５０の頂部を上方から覆いかつ、端板５２Ｂが一対の屋根板５０の頂部の両端を外側から覆うよう、一対の屋根板５０にねじ止めなど、適宜の固着手段により固着される。図示のカバー部材５２は板金製であるが、適宜の合成樹脂による一体成形品であってもよい。
【００２４】
上記犬小屋１においては、上記した如く、支柱Ｐ１〜Ｐ４は、各々の雄ねじ部２８をベース２の雌ねじ部１８に締結することによりベース２に直立して固着される。また壁６〜１２は、相互に隣り合う支柱Ｐ１とＰ２の対の間、支柱Ｐ２とＰ３の対の間、支柱Ｐ１とＰ４の対の間及び支柱Ｐ３とＰ４の対の間に、円筒部材６Ａ、８Ｂ、１０Ｂ及び１２Ａを対応する支柱Ｐ１〜Ｐ４に離脱可能に嵌合することにより保持され、屋根１４は、支柱Ｐ１〜Ｐ４の各々上に取付穴５４を介して嵌合されかつナット６２により締結される。その結果、機械などを使用することなく短時間で容易にかつしっかりと組み立てることができる。また、短時間で容易に分解することも可能である。具体的には、最初に屋根１４を支柱Ｐ１〜Ｐ４から取り外し、続いて支柱Ｐ１〜Ｐ４を順次にベース２から離脱することにより、壁６〜１２を順次に取り外すことができる。分解した各構成部材は、人がバッグなどに入れて携帯可能であり（屋根１４は折り畳める）、実用上有用である。更には、全体の構成が簡単で軽量かつコンパクトであり、低コストで製作することができる。なお、壁６〜１２の円筒部材６Ａ、８Ｂ、１０Ｂ及び１２Ａを、対応する支柱Ｐ１〜Ｐ４に対し離脱可能に嵌合して保持する構成は、後の実施形態においても同じである。したがって以下の説明においては、説明の簡略化のため「離脱可能」という表現は省略されている。
【００２５】
上記犬小屋１においては、それぞれ一側同士が同じ高さ位置で共通の支柱Ｐ１〜Ｐ４にそれぞれ保持される一対の壁が複数対備えられている（前壁６と側壁８、前壁６と側壁１０、側壁８と後壁１２、側壁１０と後壁１２）。該一対の壁の各々は、該一側の円筒部材が相互に干渉しない高さ位置に配設されて対応する共通の支柱Ｐ１〜Ｐ４に嵌合される（前壁６の一側の２個の円筒部材６Ａとこれらの中間部に配設される側壁８の一側の１個の円筒部材８Ｂ、前壁６の他側の２個の円筒部材６Ｂとこれらの中間部に配設される側壁１０の一側の１個の円筒部材１０Ｂ、側壁８の他側の１個の円筒部材８Ｂとこれを上下に挟んで配設される後壁１２の一側の２個の円筒部材１２Ａと、側壁１０の他側の１個の円筒部材１０Ｂとこれを上下に挟んで配設される後壁１２の他側の２個の円筒部材１２Ａ）。この構成によれば、同じ高さの壁２個（例えば前壁６と側壁８）を、１本の共通の支柱（例えば支柱Ｐ２）に短時間で容易にかつしっかりと保持できる。また短時間で容易に分解することも可能である。更には、全体の構成のコンパクト化にも寄与する。更にはまた、共通の支柱に保持される２個の壁は、該支柱に対し相対回動可能であるので、後述するとおり多角形のベース及び壁を備えた多角形の組立式簡易ハウスを容易に構築することができ、実用上有用であるとともに、基本的な構成を利用して、要求される種々の用途に対しそれぞれに適応した種々の形態に構築することを可能にする。なお、前壁６及び後壁１２における円筒部材６Ａ及び１２Ａの配列の形態は、図４０（ａ）に示す壁ＷＡの形態に相当し、側壁８及び１０における円筒部材８Ｂ及び１０Ｂの配列の形態は、図４０（ｂ）に示す壁ＷＢの形態に相当する。また、一対の壁の一側の高さが互いに異なっていても、該一側の各々の円筒部材が相互に干渉しない高さ位置に配設されて共通の支柱に嵌合されることはいうまでもない。
【００２６】
上記犬小屋１においては、屋根板ユニット１４Ｕの前記軸方向の両端に位置して前記軸方向に直交する方向に延びる一対の壁である前壁６及び後壁１２の上端６ｄ及び１２ｄは、それぞれ一対の屋根板５０の下面に沿って傾斜方向に延びるよう山形に傾斜している。屋根板ユニット１４Ｕの前記軸方向に延びるよう位置する一対の壁である側壁８及び１０の上端８ｄ及び１０ｄは、それぞれ一対の屋根板５０の下面に沿って前記軸方向に水平に延びている。この構成は、壁６〜１２の各々の上端と屋根板５０の各々の下面との隙間を小さくすること、あるいは図示しない弾性部材を介在させるなど、他の手段を施すことにより上記隙間をゼロにしたり、屋根１４の荷重を支持したりすることなどを可能にする。
【００２７】
図１１及び図１２には、本発明に従って構成された組立式簡易ハウスの他の実施形態が示されている。図示の組立式簡易ハウス７０は、四角形のベース７１と、６個の支柱Ｐ１〜Ｐ６と、それぞれ複数個の壁７２、７３、７４、７５、７６及び７７と、ドア７８及び７９と、屋根８０とを備えている。なお、図１１及び図１２において括弧内の符号は、Ｘ−Ｘ方向（屋根８０の図示しないヒンジＨの各々の軸方向）及びＸ−Ｘ方向に水平に直交するＹ−Ｙ方向の対称位置にそれぞれ存在する実質的に同じ部材であって図面上見えない部材を示している。
【００２８】
ベース７１の基本的構成は、図５及び図６を参照して説明したベース２と実質的に同じであるので詳細な説明は省略する。図１１及び図１２においては不図示の雌ねじ部１８（図５及び図６）は、ベース２の４つの角部に配設されている４個の他に、Ｙ−Ｙ方向の両側におけるＸ−Ｘ方向の右端寄りの位置にそれぞれ配設される２個の支柱Ｐ５及びＰ６に対応して雌ねじ部１８が２個増加して配設されている。
【００２９】
相互に共通部品からなる支柱Ｐ１〜Ｐ６は、それぞれ複数個の、実施形態においては２個の支柱からなる。代表として支柱Ｐ２について図３９を参照して説明すると、支柱Ｐ２は、相互に分離可能に連結される２個の支柱であって、上支柱９０及び下支柱９２からなる。上支柱９０は、支柱本体９３の上端及び下端からそれぞれ延び出している支柱本体９３よりも小径の雄ねじ部９４及び９５を備えている。上支柱９０は図６に示す支柱Ｐ１と実質的に同じ構成を有しているので、更なる説明は省略する。下支柱９２は、支柱本体９６の上端部において上端から下方に延びる雌ねじ部９７と、支柱本体９６の下端から下方に延び出している支柱本体９６よりも小径の雄ねじ部９８とを備えている。雌ねじ部９７は、支柱本体９６の上端部内にナットを挿入して溶着することにより構成される。ナットの上端面は、支柱本体９６の上端面と共通の平面（軸線に直交する平面）上に存在する。その他の構成は、図６に示す支柱Ｐ１と実質的に同じであるので、更なる説明は省略する。下支柱９２は、下端の雄ねじ部９８がベース７１の雌ねじ部１８（不図示）に締結されて直立させられ、上支柱９０は、下端から延び出している雄ねじ部９５が下支柱９２の上端部の雌ねじ部９７に締結されることにより下支柱９２と一体に固着される。他の支柱Ｐ１及びＰ３〜Ｐ６も、上記したのと同じ如くしてベース７１に直立させられる。
【００３０】
支柱Ｐ１とＰ２の対の間及び支柱Ｐ３とＰ４の対の間には、それぞれ４個の壁７２及び７７が、上下方向に積み重ねられて保持されている。壁７２及び７７は、壁本体両側の中央部にそれぞれ円筒部材７２Ｂ及び７７Ｂを備えている（円筒部材７２Ｂ及び７７Ｂの配列の形態は、図４０（ｂ）に示されている壁ＷＢの形態に相当）。円筒部材７２Ｂ及び７７Ｂは、図７及び図８に示すチャンネル板３２と実質的に同じ構成を有するチャンネル板と一体に配設される。最上端に位置する壁７２及び７７の壁本体の上端は、図７に示す前壁本体６Ｗの上端６ｄと同じ如く、幅方向中央から両側上端に向かって同じ角度（屋根８０の傾斜角度と同じ角度）で下方に傾斜している。その他の壁７２及び７７の壁本体の形状は矩形である。
【００３１】
支柱Ｐ２とＰ５の対の間及び支柱Ｐ１とＰ６の対の間には、それぞれ４個の壁７３及び７４が、上下方向に積み重ねられて保持されている。壁７３及び７４は、壁本体両側の上端部及び下端部にそれぞれ円筒部材７３Ａ及び７４Ａを備えている（円筒部材７３Ａ及び７４Ａの配列の形態は、図４０（ａ）に示されている壁ＷＡの形態に相当）。円筒部材７３Ａ及び７４Ａは、図７及び図８に示すチャンネル板３２と実質的に同じ構成を有するチャンネル板と一体に配設される。壁７３及び７４の壁本体の形状は矩形である。
【００３２】
支柱Ｐ５とＰ３の対の間及び支柱Ｐ６とＰ４の対の間の最上端位置には、それぞれ１個の壁７５及び７６が保持されている。図１３に示すように、壁７５の壁本体の形状は矩形であり、一側の中央部には円筒部材７５Ｂが備えられ、他側の上端部及び下端部にそれぞれ円筒部材７５Ａを備えている（円筒部材７５Ａ及び７５Ｂの配列の形態は、図４０（ｃ）に示されている壁ＷＣの形態に相当）。円筒部材７５Ｂ及び７５Ａは、それぞれ図７及び図８に示すチャンネル板３２と実質的に同じ構成を有するチャンネル板と一体に配設される。壁７５の壁本体の形状は矩形である。壁７６は、壁７５と左右勝手違いの構成を有している（不図示）。
【００３３】
支柱Ｐ５とＰ３の対の間及び支柱Ｐ６とＰ４の対の間であって、壁７５及び７６の直下方位置には、それぞれ矩形のドア７８及び７９が回動可能に保持されている。図１４に示すように、矩形状のドア７８の鉛直に延びている片側には円筒部材７８Ｎが上下方向に間隔を置いて４個配設されている。円筒部材７８Ｎの各々は、それぞれ図７及び図８に示すチャンネル板３２と実質的に同じ構成を有するチャンネル板と一体に配設される。ドア７８及び７９は開閉用のノブ７８Ｋ及び７９Ｋ（不図示）を備えている。ドア７９は、ドア７８と左右勝手違いの構成を有している（不図示）。支柱Ｐ６とＰ４の対の間にドア７９を配設せず、図示しない３個の壁を積み重ねて配設する他の実施形態もある。
【００３４】
壁７２の各々の一側の中央部の円筒部材７２Ｂは、それぞれ同じ高さで隣り合う壁７３の各々の一側の上端部及び下端部の円筒部材７３Ａに上下を挟まれて、共通の支柱Ｐ２に嵌合・保持される。最上端の壁７３の他側の上端部及び下端部の円筒部材７３Ａは、同じ高さで隣り合う最上端の壁７５の一側の中央部の円筒部材７５Ｂを上下に挟んで、共通の支柱Ｐ５に嵌合・保持される。最上端を除く他の３個の壁７３の他側の上端部及び下端部の円筒部材７３Ａは、支柱Ｐ５に嵌合・保持される。支柱Ｐ５において、３個の壁７３の各々の他側の該円筒部材７３Ａ間の三つの空間部には、それぞれ同じ横断面形状のカラー（円筒部材）ＣＬが離脱可能に嵌合されている。ドア７９の一側の円筒部材７８Ｎの各々は、支柱Ｐ３に回動可能に嵌合・保持される。図示しない壁７７のうち最上端の壁７７の一側の中央部の円筒部材７７Ｂは、同じ高さで隣り合う最上端の壁７５の他側の上端部及び下端部の円筒部材７５Ａに上下を挟まれて、共通の支柱Ｐ５に嵌合・保持され、最上端を除く他の３個の壁７７の一側の中央部の円筒部材７７Ｂは、３個の壁７７と同じ高さで隣り合うドア７９の一側の円筒部材７８Ｎの各々間に挟まれて、共通の支柱Ｐ３に嵌合・保持される。図１１及び図１２に示す組立式簡易ハウス７０において、図面上に現れない裏側の各構成部材の支持構造は、前記した図面上に現れている表側の各構成部材の支持構造と同じであるので、説明は省略する。
【００３５】
壁７２、７３、７４及び７７の各々は、それぞれ上下方向に積み重ねられて保持されているが、積み重ね部分の構造は相互に共通であるので、以下、それらを代表して壁７３の各々における積み重ね部分の構造について説明する。図１５及び図１６には、相対的に下に位置する壁７３として最下端に位置する壁７３の一部が図示され、相対的に上に位置する壁７３として、最下端に位置する壁７３の直上方に位置する壁７３の一部が図示されている。下の壁７３は矩形の壁本体７３Ｗを有し、壁本体７３Ｗの両側の上端部及び下端部には、図７に示す前壁６と同じ如く、チャンネル板１００を介して円筒部材７３Ａが配設されている。更に水平に延びる下端には金属製のチャンネル板１０２が、両側のチャンネル板１００間にわたって嵌合・固着されている。下の壁７３の水平に延びる上端には金属製のチャンネル板１０４が、両側のチャンネル板１００間にわたって嵌合・固着されている。チャンネル板１０４の底部外面である上面における幅方向中央には、一定の上下方向幅及び一定の水平方向厚みを有する突条１０６が、該上面、したがって下の壁７３の上端に沿って延びるよう溶着されている。突条１０６は帯状の金属板からなる。
【００３６】
上の壁７３は矩形の壁本体７３Ｗを有し、壁本体７３Ｗの両側の上端部及び下端部には、下の壁７３と同じ如く、チャンネル板１００を介して円筒部材７３Ａが配設されている。上の壁７３の水平に延びる下端には、金属製のチャンネル板１０８が、両側のチャンネル板１００間にわたって嵌合・固着されている。チャンネル板１０８の底部外面である下面における幅方向中央部には、一定の高さを有する２枚の金属板１１０が、幅方向に間隔をおいて平行に該下面、したがって上の壁７３の下端に沿って延びるよう溶着されている。２枚の金属板１１０の間と該下面との間には下方に開放された溝１１２が形成される。
【００３７】
上の壁７３は、その下端の溝１１２が下の壁７３の上端の突条１０６に離脱可能に嵌合されて下の壁７３に支持される。最下端に位置する壁７３は、下端面がベース７１の上面に載置されて支持される。上記した如き壁７３の各々の積み重ね構造によれば、外部から雨などの水の浸入を防止することができるとともに、上の壁７３の荷重を下の壁７３により支持することができる。なお、水の浸入を防止する必要がない場合には、溝１１２及び突条１０６は不要である。
【００３８】
屋根８０は、図１〜図４などを参照して説明した犬小屋１の屋根１４と実質的に同じ構成を有しているので説明は省略する。屋根８０の支柱Ｐ１〜Ｐ６に対する取り付けは、図６に示す取付手段と実質的に同じ如くして行なわれる。なお、屋根板ユニット８０Ｕの軸方向（不図示である複数個のヒンジＨの各々における軸Ｈ１の軸方向）の両端に位置して該軸方向に直交する方向に延びる複数の壁７２及び７７のうち最上位に位置する壁壁７２及び７７の上端は、屋根板８１の各々の下面に沿って傾斜方向に延びるよう傾斜している。また、屋根板ユニット８０の両側部をそれぞれ該軸方向に延びる複数の壁７３及び７４のうち最上位に位置する壁７３及び７４の上端は、それぞれ屋根板８１の各々の下面に沿って該軸方向に水平に延びている。
【００３９】
上記した組立式簡易ハウス７０は、図１に示す犬小屋１と実質的に同じ特徴ある構成を有しているので、実質的に同じ効果を奏することが可能である。なお、組立式簡易ハウス７０の組み立ては、支柱Ｐ１〜Ｐ６の各々を、２個の上支柱８０及び下支柱９０を分離可能に締結して一体に構成することによって、或いはまた３個以上の支柱から分離可能に締結して一体に構成することによって、短時間で容易にかつしっかりと組み立てることができ、また、短時間で容易に分解することも可能である。
【００４０】
図１７〜図２０には、本発明に従って構成された組立式簡易ハウスの更に他の実施形態が示されている。図示の組立式簡易ハウス１２０は、図１１及び図１２などを参照して説明した組立式簡易ハウス７０と比較して、屋根の構成が屋根８０と相違するが、その他の基本的構成は実質的に同じであるので、説明は必要最小限に止める。
【００４１】
組立式簡易ハウス１２０は、四角形のベース１２２と、ベース１２２の周縁部に直立された８個の支柱Ｐ１〜Ｐ８と、支柱の、複数の対の間に保持された少なくとも１個の壁（いずれも符号は省略）と、１個のドア１２３と、屋根１２４とを備えている。支柱Ｐ１、Ｐ２、Ｐ４及びＰ５は、ベース１２２の４個の角部に締結されている。支柱Ｐ７及びＰ８は、ベース１２２の両側部であって、それぞれ支柱Ｐ２とＰ４間の中央、支柱Ｐ１とＰ５間の中央に締結されている。支柱Ｐ３は、支柱Ｐ１とＰ２間の中央から支柱Ｐ２側に寄った位置に、また支柱Ｐ６は、支柱Ｐ４とＰ５間の中央から支柱Ｐ４側に寄った位置に、それぞれ締結されている。
【００４２】
屋根１２４は、複数個の、実施形態においては３個の屋根板ユニット１２４Ｕからなる。屋根板ユニット１２４Ｕの各々は、図１〜図４に示す屋根板ユニット１４Ｕと基本的構成は同じである。更に具体的に説明すると、屋根板ユニット１２４Ｕの各々は、それぞれ矩形をなす一対の屋根板１２６と屋根板１２６の各々の一側部同士を連結するヒンジＨとを備えかつ一対の屋根板１２６がヒンジＨの軸Ｈ１まわりに折り畳み可能に構成されるととも、各々の軸Ｈ１が共通の仮想水平軸線に沿って位置するよう併設されてなる。屋根板ユニット１２４Ｕの各々における一対の屋根板１２６には、水平位置から軸Ｈ１まわりに下方に同じ角度回動して傾斜した取付状態において、それぞれ支柱Ｐ１〜Ｐ８に対応して不図示の取付穴が形成されている。
【００４３】
図２０において該軸線方向の右端に位置する屋根板ユニット１２４Ｕは、該取付状態において該軸線方向の外側端部に支柱Ｐ４、Ｐ５及びＰ６に対応して該取付穴が形成されて該支柱Ｐ４、Ｐ５及びＰ６に図６に示す如くして支持される。また、該軸線方向の左端に位置する屋根板ユニット１２４Ｕは、該取付状態において該軸線方向の外側端部に支柱Ｐ１、Ｐ２及びＰ３に対応して該取付穴が形成されて該支柱ＰＰ１、Ｐ２及びＰ３に図６に示す如くして支持される。更にはまた、両端に位置する両端屋根板ユニット１２４Ｕの各々に対し該軸線方向の内方に位置する少なくとも１個（実施形態においては１個）の中間屋根板ユニット１２４Ｕには、該取付状態において該軸線方向の中間位置であって該軸線方向に直交する幅方向の両側部に、それぞれ少なくとも１個（実施形態においてはそれぞれ１個）の該取付穴が形成され、該支柱Ｐ７及びＰ８に後述する屋根梁１２８を介して支持される。
【００４４】
支柱Ｐ７及びＰ８間には屋根梁１２８が保持される。図２１及び図２２を参照して、屋根梁１２８は、一定の厚みを有する板部材から形成される本体１２８Ａを備えている。本体１２８Ａは、水平下端と、水平下端から間隔をおいて鉛直上方に同じ高さだけ延びる両側と、両側の上端から中央に向かって同じ長さ及び同じ角度で傾斜して延びる上端とを備えている。本体１２８Ａの両側の全域には、それぞれ金属製の枠体１３０が配設されている。枠体１３０の各々は、直線状に鉛直に延びるチャンネル板１３２と、チャンネル板１３２の各々の底部外面に溶着されたフランジ板部材１３４とを備えている。フランジ板部材１３４は、一定の幅で直線状に鉛直に延びる本体１３４Ａと、本体１３４Ａの上端及び下端から同じ方向に水平に延び出す一対の水平フランジ１３４Ｂとを備えている。水平フランジ１３４Ｂの各々に、共通の鉛直軸線を有する円形貫通穴１３４ｃが形成されている。フランジ板部材１３４は、本体１３４Ａの、水平フランジ１３４Ｂが延び出す面と反対側の面がチャンネル板１３２の各々の底部外面に重合されて溶着される。枠体１３０の各々は、チャンネル板１３２の各々が屋根梁１２８の両側を覆うよう嵌め込まれ、圧入、接着、ねじ止めなどの固着手段により固着される。枠体１３０の各々が屋根梁１２８の両側に固着された状態で、下の水平フランジ１３４Ｂの下面とチャンネル板１３２の下端と屋根梁１２８の本体１２８Ａの下端とは、同一水平面上に位置付けられ、かつチャンネル板１３２の上端と本体１２８Ａの上端（傾斜面）と同一傾斜面上に位置付けられ、上の水平フランジ１３４Ｂの上面は、本体１２８Ａの対応する側上端に対し下方に間隔をおいて位置付けられる。枠体１３０の各々において、円形貫通穴１３４ｃが形成された水平フランジ１３４Ｂの各々は、対応する支柱に対する嵌合部を構成する。
【００４５】
屋根梁１２８は、両側の水平フランジ１３４Ｂの対が、それぞれ円形貫通穴１３４ｃを介して支柱Ｐ７及びＰ８の上端部に嵌合・保持される。図１９を参照して更に具体的に説明すると、支柱Ｐ７には、これを共通の支柱として、両側中央部に円筒部材１３６Ｂを有する４個の壁１３６と、両側上端部及び下端部に円筒部材１３８Ａを有する４個の壁１３８との一側がそれぞれ積み重ねられて嵌合・保持される。そして、屋根梁１２８の一側の水平フランジ１３４Ｂの対が、最上端に位置する壁１３８の上端部の円筒部材１３８Ａを上下に挟んで支柱Ｐ７の上端部に嵌合・保持される。屋根梁１２８の他側の水平フランジ１３４Ｂの対も同じ如くして、支柱Ｐ８の上端部に嵌合・保持される。屋根梁１２８の上端の傾斜面は、それぞれ中間屋根板ユニット１２４の一対の屋根板１２６の下面に沿って傾斜方向に延びるよう位置付けられる。屋根１２４の支柱Ｐ１〜Ｐ８に対する取り付けは、図６に示す取付手段と実質的に同じ如くして行なわれる。なお、最上端に位置する壁１３８の、支柱Ｐ７に嵌合・保持される上端部の円筒部材１３８Ａを除去した形態の壁１３８（図４０（ｄ）に示される形態の壁ＷＤ）を使用する他の実施形態もある。この実施形態において、屋根梁１２８の一側の水平フランジ１３４Ｂの対は、最上端に位置する壁１３６の中央部の円筒部材１３６Ｂの直上方位置において支柱Ｐ７の上端部に嵌合・保持される。屋根梁１２８の他側の水平フランジ１３４Ｂの対も同じ如くして、支柱Ｐ８の上端部に嵌合・保持される。この実施形態においては、水平フランジ１３４Ｂの対に替えて円筒部材を使用する他の実施形態もある。
【００４６】
両端屋根板ユニット１２４Ｕの各々における一対の屋根板１２６の該軸線方向の内側に位置する端部の各々は、両端屋根板ユニット１２４Ｕの各々の該軸線方向の内方に位置する中間屋根板ユニット１２４Ｕにおける一対の屋根板１２６の該軸線方向の外側に位置する端部の各々に対し上から重ねられるよう配置される。更に具体的に説明すると、両端屋根板ユニット１２４Ｕの各々における一対の屋根板１２６の該軸線方向の内側に位置する端部の各々には、金属製の内側補強板１４０（図２４）が取り付けられる。内側補強板１４０の各々は、該軸方向の外方に開放するチャンネル部１４０Ａと、チャンネル部１４０Ａの上端から該軸線方向の内方に直線状に張り出す張出部１４０Ｂと、張出部１４０Ｂの先端から垂下する下向きフランジ部１４０Ｃとを備えている。内側補強板１４０の各々は、チャンネル部１４０Ａが該端部の各々に嵌合・固着されることにより取り付けられる（図２３）。
【００４７】
中間屋根板ユニット１２４Ｕにおける一対の屋根板１２６の該軸線方向の両側に位置する端部の各々には外側補強板１４２が取り付けられる。外側補強板１４２の各々は、端部の各々に対する取り付けの向きが相違するだけで（図２３参照）、内側補強板１４０と共通部品からなる。図２３に示すように、外側補強板１４２の各々は、該軸方向の内方に開放するチャンネル部１４２Ａと、チャンネル部１４２Ａの下端から該軸線方向の外方に直線状に張り出す張出部１４２Ｂと、張出部１４２Ｂの先端から上方に直角に延び出す上向きフランジ部１４２Ｃとを備えている（図２４においてこれらの符号は括弧で括って示されている）。外側補強板１４２の各々は、チャンネル部１４２Ａが該端部の各々に嵌合・固着されることにより取り付けられる（図２３）。両端屋根板ユニット１２４Ｕの各々の内側補強板１４０の張出部１４０Ｂ及び下向きフランジ部１４０Ｃは、対応する中間屋根板ユニット１２４Ｕの外側補強板１４２の張出部１４２Ｂ及び上向きフランジ部１４２Ｃに対し上から覆うよう配置される（図２３参照）。このような構成により、屋根板ユニット１２４Ｕの各々における一対の屋根板１２６の、相互に隣り合う端部の各々をしっかりと補強し、かつ両端屋根板ユニット１２４Ｕの各々における一対の屋根板１２６の該軸線方向の内側に位置する端部の各々を、中間屋根板ユニット１２４Ｕにおける一対の屋根板１２６の該軸線方向の両側に位置する端部の各々上にしっかりと支持することを可能にする。
【００４８】
屋根板ユニット１２４Ｕの各々における屋根板１２６の対の全ての頂部及び両端は、カバー部材１２５により上方から離脱可能に覆われる。カバー部材１２５は、図１〜図４を参照して説明したカバー部材５２と実質的に同じ構成を有しているので説明は省略する。上記実施形態において、中間屋根板ユニット１２４Ｕは１個であるが、複数個である他の実施形態もある。また、中間屋根板ユニット１２４Ｕの一対の屋根板１２６は、両側をそれぞれ１個の支柱Ｐ７及びＰ８と１個の屋根梁１２８により支持するよう構成されているが、一対の屋根板１２６の該軸方向の大きさに対応してそれぞれ複数個の支柱と複数個の屋根梁により支持する他の実施形態もある。
【００４９】
図２５には、本発明に従って構成された組立式簡易ハウスの更に他の実施形態が図示されている。図示の組立式簡易ハウスは簡易スタンドショップ１５０である。スタンドショップ１５０において、相互に隣り合う支柱の対であって少なくとも一対の支柱の間（実施形態においては図２５における手前側の４対の支柱の間）には、２個の壁が上下方向に間隔をおいて対向するよう保持されている。これら上下方向に間隔をおいて対向する壁と該壁を保持する支柱の対との間に空間が形成される。以下、該空間を形成する具体的構成の一例を説明する。
【００５０】
支柱Ｐ１とＰ２の間には、２個の壁１５２及び１５４が上下方向に間隔をおいて対向するよう保持されている。下の壁１５４は、１個の壁１５６を介してベース１５８の上面に支持されている。すなわち、壁１５４は壁１５６の上に積み重ねられて保持される。壁１５４及び１５６は、それぞれ両側の上端部及び下端部に円筒部材１５４Ａ及び１５６Ａを備え、円筒部材１５４Ａ及び１５６Ａの各々が支柱Ｐ１とＰ２に嵌合・保持される。上の壁（最上端の壁）１５２は、両側の上端部及び下端部に円筒部材１５２Ａを備え、円筒部材１５２Ａの各々が支柱Ｐ１とＰ２に嵌合・保持される。支柱Ｐ１及びＰ２の支柱本体であって、上の壁１５２の下側の円筒部材１５２Ａと、壁１５４の上側の円筒部材１５４Ａとの間における支柱本体には、それぞれ１個のカラーである円筒部材１６０が離脱可能に嵌合される。円筒部材１６０の各々の存在により、壁１５２は、最上端の所定の位置に保持されるので、該空間が形成される。なお、支柱Ｐ１及びＰ２において、それぞれ他の支柱との間に保持された図示しない複数個の壁の複数個の円筒部材が嵌合・保持されている場合には、これらの円筒部材の存在により、壁１５２は、最上端の所定の位置に保持される。図示の実施形態において、壁１５６が存在しない場合には、壁１５４の下端がベース１５８の上面に支持される。壁１５４の直上方には、支柱Ｐ１及びＰ２を含む複数の支柱にわたって、カウンター１６２が配設されている。
【００５１】
図２６及び図２８には、本発明に従って構成された組立式簡易ハウスの更に他の実施の形態が示されている。この実施形態は、先に説明した実施形態に対し、ベース及び屋根の平面形状が相違し、かつ屋根の構成が本質的に相違しているが、その他の基本的構成は実質的に同じである。
【００５２】
図示の組立式簡易ハウス１７０は、平面形状が多角形（実施形態においては正六角形）のベース１７２と、６個の支柱Ｐ１〜Ｐ６と、２種類の形態の壁１７４及び１７６と、平面形状が多角形（実施形態においては正六角形）の屋根１８０とを備えている。
【００５３】
ベース１７２は、図２７に示されているように、平面形状が台形の６個の枠体１７３を相互に周方向に配列してボルト＆ナットＢＮにより締結することにより構成される（上面に装着される床板は不図示）。枠体１７３の各々は、横断面が四角形の５個の金属管、実施形態においては鋼管を溶着することにより形成されている。ベース１７２の角部の各々には先に述べた雌ねじ部１８（図６）が配設されている。ベース１７２の上面及び下面は、相互に平行な水平面上に位置付けられる。
【００５４】
支柱Ｐ１〜Ｐ６は、図３９に示す２分割の形態の支柱が使用され、それぞれ対応する雌ねじ部１８に締結されて直立させられる。壁１７４の各々は、片側の上端部及び下端部に円筒部材１７４Ａが形成された形態の壁（図４０（ａ）に示される形態の壁）であり、また壁１７６の各々は、両側の中央部に円筒部材１７６Ｂが形成された形態の壁（図４０（ｂ）に示される形態の壁）である。支柱Ｐ５、Ｐ６、Ｐ１、Ｐ２、Ｐ３及びＰ４の相互に隣り合う各対間には、各対間において交互に、それぞれ４個の壁１７４と４個の壁１７６とが積み重ねられて、先に述べたのと同じ如くして保持されるが、支柱Ｐ４とＰ５の対間においては、最上端に壁１７４が保持され、その下方には図示しないドアが回動可能に保持される（何れも図示せず）。
【００５５】
支柱Ｐ１〜Ｐ６の上端部には屋根１８０が支持される。屋根１８０は、平面から見て正六角形の中心から正六角形の頂点に向かって延びるよう一体に連結された６個の屋根梁１８２（図２９、図３２）と、それぞれ周方向に隣り合う屋根梁１８２間に跨って配設された６個の屋根ユニット１８４（図３０、図３５）とを備えている。
【００５６】
相互に共通部品からなる屋根梁１８２の各々は、板梁１８６と、樋部材１８８と、嵌合部であるフランジ板部材１３４（図２２）とを備えている。図２９を参照して、例えば一定の厚みを有する木材から形成される板梁１８６は、鉛直に延びる中心側端１８６ａと、鉛直に延びる頂点側端１８６ｂであって中心側端１８６ａよりも短い頂点側端１８６ｂと、中心側端１８６ａの上端から頂点側端１８６ｂの上端まで下方に傾斜して直線状に延びる上端１８６ｃと、中心側端１８６ａの下端から頂点側端１８６ｂの下端まで水平に延びる下端１８６ｄとを備えている。フランジ板部材１３４（図２２）は、板梁１８６の頂点側端１８６ｂを含む頂点側端部に嵌合・固着されたチャンネル板１３２（図２２）の底部外面に溶着されている。板梁１８６の中心側端部には、上下方向に間隔をおいて３個の取付穴１８７が形成されている。フランジ板部材１３４の下側の水平フランジ１３４Ｂの下面と板梁１８６の下端１８６ｄとは同一水平面上に存在し、上側の水平フランジ１３４Ｂの上面は、板梁１８６の頂点側端１８６ｂの上端に対し下方に間隔をおいた位置に位置付けられる。
【００５７】
図３１を参照して、金属製の樋部材１８８は、下方に開放された下向き取付チャンネル板部１９０と、下向き取付チャンネル板部１９０の上側に一体に配設された樋板部１９２とからなる。下向き取付チャンネル板部１９０は、一定の水平方向幅で水平に延びる天壁１９０ａと、天壁１９０ａの両側から下方に直角に同じ長さ延び出す下側壁１９０ｂとからなる。樋板部１９２は、前記天壁１９０ａと、天壁１９０ａから両側外方に水平に同じ長さ延び出す下フランジ１９２ａと、下フランジ１９２ａの各々の先端から上方に直角に同じ長さ延び出す上側壁１９２ｂと、上側壁１９２ｂの上端から直角に相互に接近する方向に同じ長さ延び出して先端間に一定の間隔を形成する上フランジ１９２ｃとからなる。そして下向き取付チャンネル板部１９０が板梁１８６の上端１８６ｃを含む上端部に嵌合・固着される（図２９、図３０及び図３２をも参照）。
【００５８】
図２９及び図３２〜図３４を参照して、板梁１８６の各々の中心側端部には、平面から見てそれぞれＶ形をなす６個の連結板２００がそれぞれ周方向に対向する屋根梁１８２の板梁１８６の対向面に重合されて、それぞれねじ部材であるボルト＆ナットＢＮにより共締めされる。これにより板梁１８６の各々、したがって屋根梁１８２の各々は、該中心側端部において６個の連結板２００を介して相互に一体に連結される。相互に共通部品から構成される連結板２００は、縦長の略矩形状の金属板を水平方向の中心を通る仮想鉛直中心線を軸として内角が６０度となるように折り曲げられて形成される。連結板２００の二つの辺２０２には、上下方向に間隔をおいて３個の取付穴２０４が形成されている。この取付穴２０４は、板梁１８６の取付穴１８７に対応している。屋根梁１８２の各々は、該中心側端部において６個の連結板２００を介して相互に一体に連結された状態において、連結板２００の二つの辺２０２の傾斜した上端２０２ａは重合される板梁１８６の上端１８６ｃと同一面上に位置付けられ、水平下端２０２ｂは重合される板梁１８６の下端１８６ｄと同一面上に位置付けられる。板梁１８６の各々に配設されたフランジ板部材１３４は、支柱Ｐ１〜Ｐ６の各々において、最上端に位置する壁１７４（図２６）の上側の円筒部材１７４Ａを上下方向に挟んで各々の支柱本体の上端部に嵌合・支持される。
【００５９】
図３０、図３１及び図３５を参照して、相互に共通部品からなる屋根ユニット１８４の各々は、台形の屋根板１８４Ａと、屋根板１８４Ａの平行でない対辺であって、周方向に隣り合う板梁１８６と同じ周方向角度で延びる対辺に配設された係止チャンネル部材２１０とからなる。屋根板１８４Ａは一定の厚みを有する材料、典型的には木材からなる。金属製の係止チャンネル部材２１０は、水平横方向に開放された横向き取付チャンネル板部２１２と、横向き取付チャンネル板部２１２の下側に一体に配設された横向き係止チャンネル板部２１４とからなる。横向き取付チャンネル板部２１２は、一定の上下方向幅で水平に延びる天壁２１２ａと、天壁２１２ａの上端及び下端から水平同方向に直角に延び出す上側壁２１２ｂ及び下側壁２１２ｃとからなる。横向き係止チャンネル板部２１４は、該天壁２１２ａの下端から下方に延び出す係止天壁２１４ａと、該下側壁２１２ｃと、係止天壁２１４ａの下端から直角に該下側壁２１２ｃの下方を平行に該下側壁２１２ｃよりも短い長さだけ延び出す下係止側壁２１４ｂとからなる。係止チャンネル部材２１０の各々は、横向き取付チャンネル板部２１２が屋根板１８４Ａの該対辺にそれぞれ嵌合されて固着される。
【００６０】
図２９〜図３１を参照して、屋根ユニット１８４の各々は、各々の横向き係止チャンネル板部２１４の下係止側壁２１４ｂの先端が、周方向に隣り合う板梁１８６の各々の樋板部１８８における上フランジ１９２ｃの各々のうち、該周方向内側に位置する上フランジ１９２ｃの先端に対し周方向外側に位置付けられた状態で下降させられて横向き取付チャンネル板部２１２の下側壁２１２ｃが該上フランジ１９２ｃの上面に載置され、更に半径方向外方にスライドさせられることにより、横向き係止チャンネル板部２１４の係止天壁２１４ａの該周方向内側面が該上フランジ１９２ｃの先端に当接してスライドが停止されて離脱可能に固着される。このような構成及び作用は、屋根ユニット１８４の各々の、屋根梁１８２に対する取り付け及び分離を容易かつ確実にしかも迅速に行なうことを可能にする。屋根ユニット１８４の各々は、図２８に示されるように、屋根梁１８２の各々に対し周方向に跨って、正六角形に配列された状態で固着される。屋根１８０の中心部には、正六角形のキャップ状のカバー部材２２０が上方から離脱可能に取り付けられて、屋根ユニット１８４の各々の中心部における空間を上方から覆う。
【００６１】
屋根ユニット１８４の各々が屋根梁１８２の各々に対し周方向に跨って、正六角形に配列されて固着された状態において、周方向に隣り合う屋根ユニット１８４の係止チャンネル部材２１０の各々間（天壁２１２ａ及び係止天壁２１４ａ間）には、周方向に一定の隙間Ｓが形成される。隙間Ｓの各々は、対応する屋根梁１８２の樋部材１８８の各々の上方を各々に沿って延びているので、樋部材１８８の各々と協働して屋根１８０における雨水などの排水に寄与する。
【００６２】
図３６には、本発明に従って構成された組立式簡易ハウスの更に他の実施の形態が示されている。図示の組立式簡易ハウスは簡易スタンドショップ２３０であって、図２６に示す組立式簡易ハウス１７０をベースとしているので全体の形状が正六角形をなしているが、基本的構成は、図２５に示す四角形の簡易スタンドショップ１５０と実質的に同じである。
【００６３】
図３７には、本発明に従って構成される組立式簡易ハウスに使用される壁の更に他の実施形態が示されている。この実施形態において、矩形の壁２４０の壁本体２４０Ｗの両側にはそれぞれ嵌合部である円筒部材２４０Ｌが、該両側の上下方向における下半分の領域に配設されている（図４０（ｅ）に示す壁ＷＥの形態）。また矩形の壁２５０の壁本体２５０Ｗの両側にはそれぞれ嵌合部である円筒部材２５０Ｕが、該両側の上下方向における上半分の領域に配設されている（図４０（ｆ）に示す壁ＷＦの形態）。壁２４０及び２５０の両側の高さは同じである。例えば、支柱の数が偶数本であって、相互に隣り合う支柱の対間に壁２４０と２５０を交互に支持する実施形態において、図示しないベースに偶数本の支柱を直立させておき、最初に、壁２４０を、周方向に一対おきに位置する支柱の対に、下半分の領域に配設された円筒部材２４０Ｌの各々を上方から嵌合することにより保持する。次に壁２５０を、壁２４０が保持されていない支柱の対に、上半分の領域に配設された円筒部材２５０Ｕの各々を上方から嵌合することにより保持する。共通の支柱である支柱の各々において、後から保持する壁２５０の円筒部材２５０Ｕは、先に保持された壁２４０の円筒部材２４０Ｌの上端に積み重ねられるように嵌合されるので、組付けが一層容易かつ迅速となる。
【００６４】
支柱の数が奇数本の実施形態においては、壁２４０と２５０とを周方向に交互に配置することができない。すなわち、一対の支柱の対において、一方の支柱には、壁２４０の下半分の領域に配設された円筒部材２４０Ｌが嵌合され、他方の支柱には、壁２５０の上半分の領域に配設された円筒部材２５０Ｕが嵌合される。したがって、この支柱の対には、図３８に示されている壁２６０が使用される。すなわち矩形の壁２６０の壁本体２６０Ｗの片側には嵌合部である円筒部材２６０Ｌが、該片側の上下方向における下半分の領域に配設され、他側には嵌合部である円筒部材２６０Ｕが、該他側の上下方向における上半分の領域に配設されている（図４０（ｇ）に示す壁ＷＧの形態）。
【００６５】
本発明に従って構成される組立式簡易ハウスに備えられる壁における円筒部材の配列の形態の典型例は、図４０に示されているが、これらに限定されないことはいうまでもない。
【００６６】
なお、支柱は、組立式簡易ハウスの高さによっては、相互に分離可能に連結される３本以上の複数個使用されることもある。その場合支柱は、最上端に位置する最上端支柱と、最下端に位置する最下端支柱と、中間に位置する少なくとも１個の中間支柱とからなる。最上端支柱は、図３９に示されている上支柱８０と実質的に同じ構成を有し、最下端に位置する最下端支柱及び中間に位置する中間支柱は、それぞれ図３９に示されている下支柱９０と実質的に同じ構成を有している。中間支柱が１個の場合、該中間支柱は、下端の雄ねじ部が最下端支柱の上端から雌ねじ部に締結されることにより最下端支柱と一体に固着され、最上端支柱は、下端の雄ねじ部が該中間支柱の上端から雌ねじ部に締結されることにより該中間支柱と一体に固着される。中間支柱が複数個の場合、最下端支柱の直上方に位置する中間支柱は、下端の雄ねじ部が最下端支柱の上端から雌ねじ部に締結されることにより最下端支柱と一体に固着され、複数個の中間支柱のうち相対的に上に位置する中間支柱は、下端の雄ねじ部が相対的に下に位置する中間支柱の上端から雌ねじ部に締結されることにより相対的に下に位置する中間支柱と一体に固着され、最上端支柱は、下端の雄ねじ部が最上端支柱の直下方に位置する中間支柱の上端から雌ねじ部に締結されることにより直下方に位置する中間支柱と一体に固着される。
【００６７】
上記組立式簡易ハウスの実施形態において、平面四角形の屋根は山形をなしているが、上面が水平な屋根、あるいは上面が一側から他側に向かって一定の角度で下方に傾斜している屋根、を備えた他の実施形態も成立する。
【００６８】
上記したことから容易に理解されるように、本発明によれば、基本的な構成を利用して、要求される種々の用途に対しそれぞれに適応した種々の形態に構築することができる。例えば、人がバッグなどに入れて携帯可能な小型、中型の組立式簡易ハウス（例えば犬小屋などの動物小屋、簡易更衣室、シャワー室、簡易トイレ、物置、ガードマンボックス、ゴミ収納庫）、あるいはトラックなどの輸送手段により梱包乃至箱詰めした状態で搬送することが可能である大型の組立式簡易ハウス（例えば簡易スタンド形ショップ、直売所、お土産店、簡易避難用ハウス）などを、基本的構成を変えることなく設計することが可能となり、実用上有用である。
【符号の説明】
【００６９】
１：組立式簡易ハウス（犬小屋）
２：ベース
Ｐ１、Ｐ２、Ｐ３、Ｐ４：支柱
１８：雌ねじ部
２４：支柱本体
２６、２８：雄ねじ部
６：前壁
８、１０：側壁
１２：後壁
１４：屋根
６Ａ、８Ｂ、１０Ｂ、１２Ａ：嵌合部（円筒部材）
【図１】
2012097411.tif 000003
【図２】
2012097411.tif 000004
【図３】
2012097411.tif 000005
【図４】
2012097411.tif 000006
【図５】
2012097411.tif 000007
【図６】
2012097411.tif 000008
【図７】
2012097411.tif 000009
【図８】
2012097411.tif 000010
【図９】
2012097411.tif 000011
【図１０】
2012097411.tif 000012
【図１１】
2012097411.tif 000013
【図１２】
2012097411.tif 000014
【図１３】
2012097411.tif 000015
【図１４】
2012097411.tif 000016
【図１５】
2012097411.tif 000017
【図１６】
2012097411.tif 000018
【図１７】
2012097411.tif 000019
【図１８】
2012097411.tif 000020
【図１９】
2012097411.tif 000021
【図２０】
2012097411.tif 000022
【図２１】
2012097411.tif 000023
【図２２】
2012097411.tif 000024
【図２３】
2012097411.tif 000025
【図２４】
2012097411.tif 000026
【図２５】
2012097411.tif 000027
【図２６】
2012097411.tif 000028
【図２７】
2012097411.tif 000029
【図２８】
2012097411.tif 000030
【図２９】
2012097411.tif 000031
【図３０】
2012097411.tif 000032
【図３１】
2012097411.tif 000033
【図３２】
2012097411.tif 000034
【図３３】
2012097411.tif 000035
【図３４】
2012097411.tif 000036
【図３５】
2012097411.tif 000037
【図３６】
2012097411.tif 000038
【図３７】
2012097411.tif 000039
【図３８】
2012097411.tif 000040
【図３９】
2012097411.tif 000041
【図４０】
2012097411.tif 000042
【手続補正書】
【提出日】平成23年9月29日(2011.9.29)
【手続補正１】
【補正対象書類名】特許請求の範囲
【補正対象項目名】全文
【補正方法】変更
【補正の内容】
【特許請求の範囲】
【請求項１】
少なくとも四つの角部に鉛直軸線を有する雌ねじ部が配設された四角形のベースと、円形外周面を有する支柱本体及び支柱本体の上端及び下端からそれぞれ延び出している支柱本体よりも小径の雄ねじ部を備えた複数の支柱であって、下端の雄ねじ部がベースの雌ねじ部に締結されて直立する複数の支柱と、相互に隣り合う支柱の対の間に保持される少なくとも１個の壁であって、全体として複数の対の間にそれぞれ保持される少なくとも１個の壁と、支柱の各々の上端部に支持される屋根とを備え、
壁の各々の鉛直に延びている両側には鉛直軸線を有する円形貫通穴が形成された少なくとも１個の嵌合部が配設され、壁の各々は、該嵌合部が対応する支柱の支柱本体に離脱可能に嵌合されて保持される、
ことを特徴とする組立式簡易ハウス。
【請求項２】
角部の各々に鉛直軸線を有する雌ねじ部が配設された、四角形を除く多角形のベースと、円形外周面を有する支柱本体及び支柱本体の上端及び下端からそれぞれ延び出している支柱本体よりも小径の雄ねじ部を備えた複数の支柱であって、下端の雄ねじ部がベースの雌ねじ部に締結されて直立する複数の支柱と、相互に隣り合う支柱の対の間に保持される少なくとも１個の壁であって、全体として複数の対の間にそれぞれ保持される少なくとも１個の壁と、支柱の各々の上端部に支持される屋根とを備え、
壁の各々の鉛直に延びている両側には鉛直軸線を有する円形貫通穴が形成された少なくとも１個の嵌合部が配設され、壁の各々は、該嵌合部が対応する支柱の支柱本体に離脱可能に嵌合されて保持される、
ことを特徴とする組立式簡易ハウス。
【請求項３】
それぞれ一側同士が同じ高さ位置で共通の支柱に保持される一対の壁が複数対備えられ、該一対の壁の各々は、該一側の嵌合部が相互に干渉しない高さ位置に配設されて対応する共通の支柱に嵌合される、請求項１又は請求項２に記載の組立式簡易ハウス。
【請求項４】
相互に隣り合う支柱の対の間であって全体として複数の対の間にはそれぞれ複数の壁が上下方向に積み重ねられて保持され、相対的に下に位置する壁の上端は水平に延びかつ、該上端には一定の上下方向幅及び一定の水平方向厚みを有する突条が壁の上端に沿って延びるよう配設され、相対的に上に位置する壁の下端は水平に延びかつ、該下端には下方に開放された溝が一定の高さで壁の下端に沿って延びるよう配設され、上に位置する壁は、その下端の溝が下に位置する壁の上端の突条に離脱可能に嵌合されて下に位置する壁に支持され、最下端に位置する壁はベースの上面に支持される、請求項１〜３のいずれか１項に記載の組立式簡易ハウス。
【請求項５】
屋根は、それぞれ矩形をなす一対の屋根板と屋根板の各々の一側部同士を連結するヒンジとを備えかつ一対の屋根板がヒンジの軸まわりに折り畳み可能な屋根板ユニットからなり、一対の屋根板には、屋根板の各々が水平位置から該軸まわりに下方に同じ角度回動して傾斜した取付状態において、対応する支柱と整合する位置に取付穴が形成され、該取付穴の各々が対応する支柱の雄ねじ部に離脱可能に嵌合されて雌ねじ部材により締結される、請求項１記載の組立式簡易ハウス。
【請求項６】
支柱の各々における支柱本体の上端は、雄ねじ部の外周面と支柱本体の外周面との間に形成される環状の水平上端面からなり、水平上端面の各々上には、軸線に直交する平面と該平面に対し傾斜した傾斜面とを有する第１傾斜ワッシャが傾斜面を上にして雄ねじ部に嵌合されて載置され、一対の屋根板は第１傾斜ワッシャの傾斜面に載置されて該軸線を中心に傾斜面の傾斜角度に従ってそれぞれ同じ角度に傾斜させられ、屋根板の各々の上面から突出した雄ねじ部には、第１傾斜ワッシャと共通部品である第２傾斜ワッシャが傾斜面を下にして嵌合されて屋根板の各々の傾斜した上面に載置されかつ、該雌ねじ部材が締結されて第２傾斜ワッシャの平面を下方に押圧する、請求項５記載の組立式簡易ハウス。
【請求項７】
屋根は、平面から見て該多角形の中心から該多角形の頂点に向かって延びるよう一体に連結された複数の屋根梁と、それぞれ周方向に隣り合う屋根梁間に跨って配設された複数の屋根ユニットとを備え、
屋根梁の各々は、板梁であって、鉛直に延びる中心側端及び鉛直に延びる頂点側端であって中心側端よりも短い頂点側端と、中心側端の上端から頂点側端の上端まで下方に傾斜して延びる上端と、中心側端の下端から頂点側端の下端まで水平に延びる下端とを備えた板梁と、板梁の上端に配設された樋部材と、板梁の頂点側端に配設された嵌合部とを備え、
板梁の各々の中心側端部には、平面から見てそれぞれＶ形をなす複数の連結板がそれぞれ周方向に対向する屋根梁の対向面に重合されてそれぞれねじ部材により共締めされることにより屋根梁の各々は、該中心側端部において複数の連結板を介して相互に一体に連結され、屋根梁の各々の板梁に配設された嵌合部は支柱の各々の支柱本体の上端部に離脱可能に嵌合保持される、請求項２記載の組立式簡易ハウス。
【請求項８】
嵌合部は、円筒部材又は上下方向に間隔をおいて水平に延び出す一対の水平フランジからなる、請求項１〜４又は７のいずれか１項に記載の組立式簡易ハウス。
【請求項９】
嵌合部は円筒部材からなり、共通の支柱に保持される一方の壁の円筒部材は、該一側の上端部及び下端部に配設され、共通の支柱に保持される他方の壁の円筒部材は、該一側の上端部と下端部との間である中間部に配設される、請求項３又は請求項４記載の組立式簡易ハウス。
【請求項１０】
嵌合部は円筒部材からなり、共通の支柱に保持される一方の壁の円筒部材は、該一側の下半分の領域に配設され、共通の支柱に保持される他方の壁の円筒部材は、該一側の上半分の領域に配設される、請求項３又は請求項４記載の組立式簡易ハウス。
【手続補正２】
【補正対象書類名】明細書
【補正対象項目名】全文
【補正方法】変更
【補正の内容】
【発明の詳細な説明】
【技術分野】
【０００１】
本発明は、ベースと、ベースに締結されて直立する複数の支柱と、相互に隣り合う支柱の対の間、全体として複数の対の間にそれぞれ保持される少なくとも１個の壁と、支柱の各々の上端部に支持される屋根とを備え、壁の各々の両側には嵌合部が配設され、壁の各々は、該嵌合部が対応する支柱に離脱可能に嵌合されて保持される、組立式簡易ハウスに関する。
【背景技術】
【０００２】
特許文献１には、台部分１と、鋼鉄製パイプの柱２と、壁４と、扉５と、屋根３とを備えた組立式簡易ハウス（簡易組立式トイレ）が開示されている。柱２は、台部分１の四隅に配設された柱受けのソケットに差し込んで直立させられる。壁４は、両側に配設されたピンを一対の柱２の穴に嵌め込んで取り付けられる。扉５は、片側に配設した環（ヒンジ）を柱２に嵌合して支持される。屋根３は、上端が閉塞された穴を介して柱２の上端部に差し込んで支持される。各差し込み部には抜け止め手段が施される。
【先行技術文献】
【特許文献】
【０００３】
【特許文献１】特開平１１−０４４１１０号公報
【発明の概要】
【発明が解決しようとする課題】
【０００４】
特許文献１に開示された上記組立式簡易ハウスにおいては、多くの構成部材が差し込み方式により組み立てられるので、全体をしっかりと組み立てることが不可能ではないにしても著しく困難である。特に、壁４は、相互に隣り合う柱２と柱２との間に挿入されて両側に配設されたピンを柱２の各々の穴に嵌め込んで取り付けられるので、抜け止め手段が施されてはいるものの、組付け後には幅方向に相当のガタが生ずるとともに、幅方向にかなりの隙間が生ずるので、上記課題の解決を一層困難にしている。
【０００５】
本発明の目的は、機械などを使用することなく短時間で容易にかつしっかりと組み立てること及び短時間で容易に分解することが可能である、新規な組立式簡易ハウスを提供することである。
本発明の他の目的は、上記目的に加えて更に、基本的な構成を利用して、要求される種々の用途に対しそれぞれに適応した種々の形態に構築することができる、新規な組立式簡易ハウスを提供することである。
本発明の更に他の目的は、構成が簡単で軽量かつコンパクトであり、低コストで製作することができる、新規な組立式簡易ハウスを提供することである。
【課題を解決するための手段】
【０００６】
本発明の一局面によれば、少なくとも四つの角部に鉛直軸線を有する雌ねじ部が配設された四角形のベースと、円形外周面を有する支柱本体及び支柱本体の上端及び下端からそれぞれ延び出している支柱本体よりも小径の雄ねじ部を備えた複数の支柱であって、下端の雄ねじ部がベースの雌ねじ部に締結されて直立する複数の支柱と、相互に隣り合う支柱の対の間に保持される少なくとも１個の壁であって、全体として複数の対の間にそれぞれ保持される少なくとも１個の壁と、支柱の各々の上端部に支持される屋根とを備え、壁の各々の鉛直に延びている両側には鉛直軸線を有する円形貫通穴が形成された少なくとも１個の嵌合部が配設され、壁の各々は、該嵌合部が対応する支柱の支柱本体に離脱可能に嵌合されて保持される、ことを特徴とする組立式簡易ハウス、が提供される。
本発明の他の局面によれば、角部の各々に鉛直軸線を有する雌ねじ部が配設された、四角形を除く多角形のベースと、円形外周面を有する支柱本体及び支柱本体の上端及び下端からそれぞれ延び出している支柱本体よりも小径の雄ねじ部を備えた複数の支柱であって、下端の雄ねじ部がベースの雌ねじ部に締結されて直立する複数の支柱と、相互に隣り合う支柱の対の間に保持される少なくとも１個の壁であって、全体として複数の対の間にそれぞれ保持される少なくとも１個の壁と、支柱の各々の上端部に支持される屋根とを備え、壁の各々の鉛直に延びている両側には鉛直軸線を有する円形貫通穴が形成された少なくとも１個の嵌合部が配設され、壁の各々は、該嵌合部が対応する支柱の支柱本体に離脱可能に嵌合されて保持される、ことを特徴とする組立式簡易ハウス、が提供される。
それぞれ一側同士が同じ高さ位置で共通の支柱に保持される一対の壁が複数対備えられ、該一対の壁の各々は、該一側の嵌合部が相互に干渉しない高さ位置に配設されて対応する共通の支柱に嵌合される、ことが好ましい。
相互に隣り合う支柱の対の間であって全体として複数の対の間にはそれぞれ複数の壁が上下方向に積み重ねられて保持され、相対的に下に位置する壁の上端は水平に延びかつ、該上端には一定の上下方向幅及び一定の水平方向厚みを有する突条が壁の上端に沿って延びるよう配設され、相対的に上に位置する壁の下端は水平に延びかつ、該下端には下方に開放された溝が一定の高さで壁の下端に沿って延びるよう配設され、上に位置する壁は、その下端の溝が下に位置する壁の上端の突条に離脱可能に嵌合されて下に位置する壁に支持され、最下端に位置する壁はベースの上面に支持される、ことが好ましい。
相互に隣り合う支柱の対であって少なくとも一対の支柱の間には２個の壁が上下方向に間隔をおいて対向するよう保持され、該２個の壁のうち下の壁は、ベースの上面に支持され、又は少なくとも１個の壁を介してベースの上面に支持され、上の壁は、対応する支柱の支柱本体に嵌合された上の壁の嵌合部と下の壁の嵌合部との間に介在されて嵌合された１個又は複数の円筒部材を介して下の壁に支持される、ことが好ましい。
相互に隣り合う支柱の対であって少なくとも一対の支柱の間には１個のドアが回動可能に保持され、ドアの鉛直に延びている片側には鉛直軸線を有する円形貫通穴が形成された嵌合部が上下方向に間隔を置いて複数個配設され、ドアは、該嵌合部が該支柱の対における片方の支柱の支柱本体に回動可能にかつ離脱可能に嵌合される、ことが好ましい。
屋根は、それぞれ矩形をなす一対の屋根板と屋根板の各々の一側部同士を連結するヒンジとを備えかつ一対の屋根板がヒンジの軸まわりに折り畳み可能な屋根板ユニットからなり、一対の屋根板には、屋根板の各々が水平位置から該軸まわりに下方に同じ角度回動して傾斜した取付状態において、対応する支柱と整合する位置に取付穴が形成され、該取付穴の各々が対応する支柱の雄ねじ部に離脱可能に嵌合されて雌ねじ部材により締結される、ことが好ましい。
ベースには４個の支柱が配設され、相互に隣り合う支柱の対の間にはそれぞれ１個の壁が保持され、壁の各々の下端は水平に延びてベースの上面に載置され、屋根板ユニットの該軸方向の両端に位置して該軸方向に直交する方向に延びる一対の壁の上端は、それぞれ一対の屋根板の下面に沿って傾斜方向に延びるよう傾斜しており、屋根板ユニットの該軸方向に延びるよう位置する一対の壁の上端は、それぞれ一対の屋根板の下面に沿って該軸方向に水平に延びている、ことが好ましい。
相互に隣り合う支柱の対の間であって全体として複数の対の間にはそれぞれ複数の壁が上下方向に積み重ねられて保持され、屋根板ユニットの該軸方向の両端に位置して該軸方向に直交する方向に延びる複数の壁のうち最上位に位置する壁の上端は、屋根板の各々の下面に沿って傾斜方向に延びるよう傾斜しており、屋根板ユニットの両側部をそれぞれ該軸方向に延びる複数の壁のうち最上位に位置する壁の上端は、それぞれ屋根板の各々の下面に沿って該軸方向に水平に延びている、ことが好ましい。
屋根は、それぞれ矩形をなす一対の屋根板と屋根板の各々の一側部同士を連結するヒンジとを備えかつ一対の屋根板がヒンジの軸まわりに折り畳み可能な屋根板ユニットが複数個、各々の軸が共通の仮想水平軸線に沿って位置するよう併設されてなり、屋根板ユニットの各々における一対の屋根板には、一対の屋根板がそれぞれ水平位置から該軸まわりに下方に同じ角度回動して傾斜した取付状態において、対応する支柱と整合する位置に取付穴が形成され、該軸線方向の両端に位置する両端屋根板ユニットの各々は、該取付状態において該軸線方向の外側端部にベースの該両端の二つの角部の支柱に対応して該取付穴が形成されて該支柱の各々に支持され、両端に位置する屋根板ユニットの各々に対し該軸線方向の内方に位置する少なくとも１個の中間屋根板ユニットには、該取付状態において該軸線方向の中間位置であって該軸線方向に直交する幅方向の両側部に、それぞれ１個の該取付穴が形成され、又はそれぞれ複数個の該取付穴が該軸線方向に間隔をおいて形成され、ベースの該幅方向の該両側部の対称位置には、該取付穴に対応してそれぞれ１個又は複数個の支柱が配設され、それぞれ該１個の支柱間又は複数個の支柱間には屋根梁が保持され、屋根梁は、鉛直に延びている両側を備えかつ該両側には該嵌合部が配設されるとともに、該嵌合部が対応する支柱の支柱本体に離脱可能に嵌合・保持され、屋根梁の上端は、それぞれ中間屋根板ユニットの一対の屋根板の下面に沿って傾斜方向に延びるよう傾斜しており、両端屋根板ユニットにおける一対の屋根板の該軸線方向の内側に位置する端部の各々は、両端屋根板ユニットの各々の該軸線方向の内方に位置する中間屋根板ユニットにおける一対の屋根板の該軸線方向の外側に位置する端部の各々に対し上から重ねられるよう配置される、ことが好ましい。
両端屋根板ユニットにおける一対の屋根板の該軸線方向の内側に位置する端部の各々には内側補強板が取り付けられ、内側補強板は、該端部の各々に嵌合・固着されたチャンネル部と、チャンネル部の上端から該軸線方向の内方に張り出す張出部と、張出部の先端から垂下する下向きフランジ部とを備え、中間屋根板ユニットにおける一対の屋根板の該軸線方向の外側に位置する端部であって両端屋根板ユニットに対し最も近い位置に存在する端部の各々には外側補強板が取り付けられ、外側補強板は、該端部の各々に嵌合・固着されたチャンネル部と、チャンネル部の下端から該軸線方向の外方に張り出す張出部と、張出部の先端から上方に延び出す上向きフランジ部とを備え、両端屋根板ユニットの内側補強板の各々の張出部及び下向きフランジ部は、対応する中間屋根板ユニットの外側補強板の張出部及び上向きフランジ部に対し上から覆うよう配置される、ことが好ましい。
支柱の各々における支柱本体の上端は、雄ねじ部の外周面と支柱本体の外周面との間に形成される環状の水平上端面からなり、水平上端面の各々上には、軸線に直交する平面と該平面に対し傾斜した傾斜面とを有する第１傾斜ワッシャが傾斜面を上にして雄ねじ部に嵌合されて載置され、一対の屋根板は第１傾斜ワッシャの傾斜面に載置されて該軸線を中心に傾斜面の傾斜角度に従ってそれぞれ同じ角度に傾斜させられ、屋根板の各々の上面から突出した雄ねじ部には、第１傾斜ワッシャと共通部品である第２傾斜ワッシャが傾斜面を下にして嵌合されて屋根板の各々の傾斜した上面に載置されかつ、該雌ねじ部材が締結されて第２傾斜ワッシャの平面を下方に押圧する、ことが好ましい。
相互に隣り合う支柱の対の間であって全体として複数の対の間にはそれぞれ複数の壁が上下方向に積み重ねられて保持され、該両端屋根板ユニットの該軸方向の外側端部をそれぞれ該軸方向に直交する方向に延びる複数の壁のうち最上位に位置する壁の上端は、それぞれ屋根板の各々の下面に沿って傾斜方向に延びるよう傾斜しており、屋根板ユニットの各々の両側部をそれぞれ該軸方向に延びる複数の壁のうち最上位に位置する壁の上端は、それぞれ屋根板ユニットの各々における屋根板の各々の下面に沿って該軸方向に水平に延びている、ことが好ましい。
１個の屋根板ユニットにおける一対の屋根板の頂部又は複数個の屋根板ユニットにおける全ての対の屋根板の頂部は、カバー部材により上方から離脱可能に覆われ、カバー部材は、横断面が屋根板の頂部と同じ角度の等辺を有しかつ屋根板ユニットのヒンジの軸方向の一端から他端まで直線状に延在する山形のカバー板と、カバー板の両端を覆うよう固着された三角形の端板とからなりかつ、山形のカバー板が該一対の屋根板の頂部又は該全ての対の屋根板の頂部を上方から覆い、三角形の端板が一対の屋根板の頂部の両端又は該全ての対の屋根板の頂部の両端を外側から覆う、ことが好ましい。
屋根は、平面から見て該多角形の中心から該多角形の頂点に向かって延びるよう一体に連結された複数の屋根梁と、それぞれ周方向に隣り合う屋根梁間に跨って配設された複数の屋根ユニットとを備え、屋根梁の各々は、板梁であって、鉛直に延びる中心側端及び鉛直に延びる頂点側端であって中心側端よりも短い頂点側端と、中心側端の上端から頂点側端の上端まで下方に傾斜して延びる上端と、中心側端の下端から頂点側端の下端まで水平に延びる下端とを備えた板梁と、板梁の上端に配設された樋部材と、板梁の頂点側端に配設された嵌合部とを備え、板梁の各々の中心側端部には、平面から見てそれぞれＶ形をなす複数の連結板がそれぞれ周方向に対向する屋根梁の対向面に重合されてそれぞれねじ部材により共締めされることにより屋根梁の各々は、該中心側端部において複数の連結板を介して相互に一体に連結され、屋根梁の各々の板梁に配設された嵌合部は支柱の各々の支柱本体の上端部に離脱可能に嵌合保持される、ことが好ましい。
屋根梁の各々の樋部材は、下方に開放された下向き取付チャンネル板部と、下向き取付チャンネル板部の上側に一体に配設された樋板部とからなり、下向き取付チャンネル板部は、一定の水平方向幅で水平に延びる天壁と、天壁の両側から下方に直角に延び出す下側壁とからなり、樋板部は、下向き取付チャンネル板部の天壁と、天壁から両側外方に水平に延び出す下フランジと、下フランジの各々の先端から上方に直角に延び出す上側壁と、上側壁の上端から直角に相互に接近する方向に延び出して先端間に一定の間隔を形成する上フランジとからなり、下向き取付チャンネル板部が板梁の各々の上端に嵌合されて固着され、屋根ユニットの各々は、台形の屋根板と、屋根板の平行でない対辺であって、周方向に隣り合う板梁と同じ周方向角度で延びる対辺に配設された係止チャンネル部材とからなり、係止チャンネル部材は、水平横方向に開放された横向き取付チャンネル板部と、横向き取付チャンネル板部の下側に一体に配設された横向き係止チャンネル板部とからなり、横向き取付チャンネル板部は、一定の上下方向幅で水平に延びる天壁と、天壁の上端及び下端から水平同方向に直角に延び出す上側壁及び下側壁とからなり、横向き係止チャンネル板部は、横向き取付チャンネル板部の天壁の下端から下方に延び出す係止天壁と、横向き取付チャンネル板部の下側壁と、係止天壁の下端から直角に横向き取付チャンネル板部の下側壁の下方を平行に該下側壁よりも短い長さだけ延び出す下係止側壁とからなり、横向き取付チャンネル板部が屋根板の該対辺に嵌合されて固着され、屋根ユニットの各々は、各々の横向き係止チャンネル板部の下係止側壁の先端が、周方向に隣り合う板梁の各々の樋板部における上フランジの各々のうち、該周方向内側に位置する上フランジの先端に対し周方向外側に位置付けられた状態で下降させられて横向き取付チャンネル板部の下側壁が該上フランジの上面に載置され、更に半径方向外方にスライドさせられることにより、横向き係止チャンネル板部の係止天壁の該周方向内側面が該上フランジの先端に当接してスライドが停止されて離脱可能に固着される、ことが好ましい。
嵌合部は、円筒部材又は上下方向に間隔をおいて水平に延び出す一対の水平フランジからなる、ことが好ましい。
嵌合部は円筒部材からなり、共通の支柱に保持される一方の壁の円筒部材は、該一側の上端部及び下端部に配設され、共通の支柱に保持される他方の壁の円筒部材は、該一側の上端部と下端部との間である中間部に配設される、ことが好ましい。
嵌合部は円筒部材からなり、共通の支柱に保持される一方の壁の円筒部材は、該一側の下半分の領域に配設され、共通の支柱に保持される他方の壁の円筒部材は、該一側の上半分の領域に配設される、ことが好ましい。
支柱の各々は、相互に分離可能に連結される２個の支柱であって、上支柱及び下支柱からなり、上支柱は、支柱本体の上端及び下端からそれぞれ延び出している支柱本体よりも小径の雄ねじ部を備え、下支柱は、支柱本体の上端部において上端から下方に延びる雌ねじ部と、支柱本体の下端から延び出している支柱本体よりも小径の雄ねじ部とを備え、下支柱は、下端の雄ねじ部がベースの雌ねじ部に締結され、上支柱は、下端から延び出している雄ねじ部が下支柱の上端部の雌ねじ部に締結されることにより下支柱と一体に固着される、ことが好ましい。
支柱の各々は、相互に分離可能に連結される複数の支柱であって、最上端に位置する最上端支柱と、最下端に位置する最下端支柱と、中間に位置する少なくとも１個の中間支柱とからなり、最上端に位置する最上端支柱は、支柱本体の上端及び下端からそれぞれ延び出している支柱本体よりも小径の雄ねじ部を備え、最下端に位置する最下端支柱及び中間に位置する中間支柱は、それぞれ支柱本体の上端部において上端から下方に延びる雌ねじ部と、支柱本体の下端から延び出している支柱本体よりも小径の雄ねじ部を備え、最下端支柱は、下端の雄ねじ部がベースの雌ねじ部に締結され、中間支柱が１個の場合、該中間支柱は、下端の雄ねじ部が最下端支柱の上端から雌ねじ部に締結されることにより最下端支柱と一体に固着され、最上端支柱は、下端の雄ねじ部が該中間支柱の上端から雌ねじ部に締結されることにより該中間支柱と一体に固着され、中間支柱が複数個の場合、最下端支柱の直上方に位置する中間支柱は、下端の雄ねじ部が最下端支柱の上端から雌ねじ部に締結されることにより最下端支柱と一体に固着され、複数個の中間支柱のうち相対的に上に位置する中間支柱は、下端の雄ねじ部が相対的に下に位置する中間支柱の上端から雌ねじ部に締結されることにより相対的に下に位置する中間支柱と一体に固着され、最上端支柱は、下端の雄ねじ部が最上端支柱の直下方に位置する中間支柱の上端から雌ねじ部に締結されることにより直下方に位置する中間支柱と一体に固着される、ことが好ましい。
【発明の効果】
【０００７】
本発明に係る組立式簡易ハウスによれば、機械などを使用することなく短時間で容易にかつしっかりと組み立てること及び短時間で容易に分解することが可能である、基本的な構成を利用して、要求される種々の用途に対しそれぞれに適応した種々の形態に構築することができる、構成が簡単で軽量かつコンパクトであり、低コストで製作することができる、分解した後、人がレジャー用キャリーバッグなどに収納し、携帯して持ち運ぶことを可能にする、あるいはトラックなどの輸送手段により梱包乃至箱詰めした状態で搬送しかつ保管することを可能にする、などの効果が得られる。
【図面の簡単な説明】
【０００８】
【図１】本発明に従って構成された組立式簡易ハウスの実施形態を示す正面図である。
【図２】図１に示す組立式簡易ハウスの右側面図である。
【図３】図１に示す組立式簡易ハウスの背面図である。
【図４】図１に示す組立式簡易ハウスの平面図である。
【図５】図１に示す組立式簡易ハウスのベースを、ベースに装着されたフロアの一部を省略して示す平面図である。
【図６】図１に示す組立式簡易ハウスのベース（左前角部）と支柱と屋根とを組付ける構成を説明するための側面概略図であって、一部を分解し省略しかつ断面にして示す側面概略図である。
【図７】図１に示す組立式簡易ハウスの正面の前壁を示す正面拡大図である。
【図８】図７に示す前壁の上面図であって、一部を省略して示す上面図である。
【図９】図２に示す組立式簡易ハウスの側壁を側面から見た図である。
【図１０】図３に示す組立式簡易ハウスの背面の後壁を背面から見た図である。
【図１１】本発明に従って構成された組立式簡易ハウスの他の実施形態を示す斜視図である。
【図１２】図１１に示す組立式簡易ハウスを、一部を破断しかつ他の一部を分解し、更にドアを開いて示す図である。
【図１３】図１１に示す組立式簡易ハウスにおいてドアの上方に配設された壁の正面図である。
【図１４】図１１に示す組立式簡易ハウスにおけるドアの正面図である。
【図１５】図１１に示す組立式簡易ハウスの、図１１において左側角部におけるベースと支柱と壁とを組付ける構成を説明するための、一部を分解して示す部分図である。
【図１６】図１５に示す上下の壁の構成を示す断面図であって、一部を省略して示す断面図である。
【図１７】本発明に従って構成された組立式簡易ハウスの更に他の実施形態を示す正面図である。
【図１８】図１７に示す組立式簡易ハウスの背面図である。
【図１９】図１７に示す組立式簡易ハウスの右側面図である。
【図２０】図１７に示す組立式簡易ハウスの平面図である。
【図２１】図１７に示す組立式簡易ハウスに配設される屋根梁の正面図である。
【図２２】（ａ）は図２１のＡ部を拡大して示す図、（ｂ）は（ａ）の上面図である。
【図２３】図１９のＢ部を拡大して示す図である。
【図２４】図２３において右側の屋根板に固着された補強板の拡大断面図である。
【図２５】本発明に従って構成された組立式簡易ハウスの更に他の実施形態を示す斜視図である。
【図２６】本発明に従って構成された組立式簡易ハウスの更に他の実施形態を示す斜視図であって、一部を省略した平面図を併記した斜視図である。
【図２７】図２６に示す組立式簡易ハウスにおけるベースの平面図である。
【図２８】図２６に示す組立式簡易ハウスにおける屋根の拡大平面図である。
【図２９】図２８に示す屋根において半径方向に直線状に位置する一対の屋根梁と屋根ユニットとカバーとを分解して示す概略図であって、一対の屋根梁を該半径方向に直交する水平方向から見た概略図である。
【図３０】図２８に示す屋根の一部を半径方向外方から見た斜視拡大概略図である。
【図３１】屋根梁と屋根ユニットとの取付部を分解して示す拡大断面図である。
【図３２】中央部が一体に連結された複数の屋根梁の一部を示す平面図である。
【図３３】複数の屋根梁の中央部を一体に連結する複数の連結板を取付状態に配置して示す平面図である。
【図３４】図３３に示す複数の連結板を、図３３において下方から見た側面図である。
【図３５】屋根ユニットの平面図である。
【図３６】本発明に従って構成された組立式簡易ハウスの更に他の実施形態を示す斜視図である。
【図３７】本発明に従って構成される組立式簡易ハウスに備えられる一対の壁であって、図示しない共通の支柱に保持される一対の壁の他の実施形態を示す斜視図である。
【図３８】本発明に従って構成される組立式簡易ハウスに備えられる壁の更に他の実施形態を示す斜視図である。
【図３９】本発明に従って構成される組立式簡易ハウスに備えられる支柱の他の実施形態を示す分解図であって、一部を省略して示す正面図である。
【図４０】本発明に従って構成される組立式簡易ハウスに備えられる壁における円筒部材の配列の形態の典型例を示す正面概略図である。
【発明を実施するための形態】
【０００９】
以下、本発明に従って構成された組立式簡易ハウスの実施の形態を、添付図面を参照して詳細に説明する。先ず図１〜図４を参照して、組立式簡易ハウスである犬小屋１は、平面形状が四角形（矩形）のベース２と、４個の支柱Ｐ１、Ｐ２、Ｐ３及びＰ４と、４個の壁６、８、１０及び１２と、屋根１４とを備えている。
【００１０】
ベース２は、図５及び図６に示されているように、平面形状が矩形の枠体１６と、枠体１６の四つの角部に配設された雌ねじ部１８と、枠体１６に固着された床板２０とを備えている。枠体１６は、横断面が四角形の金属管、実施形態においては鋼管２２を４個相互に溶着することにより形成されている。雌ねじ部１８は、内周面に雌ねじが形成された金属製円筒部材からなり、枠体１６の四つの角部内に周知の方法により位置付けられて溶着される。枠体１６の上面及び雌ねじ部１８の各々の上端面は共通の平面上に位置付けられ、枠体１６の下面及び雌ねじ部１８の各々の下端面は、該平面に平行な他の共通の平面上に位置付けられる。雌ねじ部１８の各々の軸線は、それぞれ鉛直軸線上に位置付けられる。床板２０は、一定の厚みを有する板であって、木材、合成樹脂など、用途に対応した適宜の材料から形成され、例えば不図示のねじ部材により枠体１６の上面の内側縁部に固着される。
【００１１】
支柱Ｐ１〜Ｐ４は相互に共通部品からなるので、支柱Ｐ１について説明する。支柱Ｐ１は、図６に示されているように、円形外周面を有する金属管（例えば鋼管）からなる支柱本体２４と、支柱本体２４の上端及び下端からそれぞれ延び出している支柱本体２４よりも小径の雄ねじ部２６及び２８を備えている。雄ねじ部２６及び２８は、それぞれ雄ねじ部２６及び２８を備えたボルトの頭を支柱本体２４の上端部内及び下端部内に挿入し、溶着することにより構成されている。支柱本体２４の上端は、雄ねじ部２６の外周面と支柱本体２４の外周面との間に形成される環状の水平上端面２４Ｕ（実施形態においては、支柱本体２４の上端面とボルトの頭の雄ねじ部２６側の面）からなり、下端は、雄ねじ部２８の外周面と支柱本体２４の外周面との間に形成される環状の水平下端面２４Ｌ（実施形態においては、支柱本体２４の下端面とボルトの頭の雄ねじ部２８側の面）からなる。そして４個の支柱Ｐ１〜Ｐ４は、下端の雄ねじ部２８がベース２の対応する雌ねじ部１８に上面から締結されて直立している。支柱本体２４の各々の下端である環状の水平下端面２４Ｌは、対応する雌ねじ部１８の各々の上端面及び枠体１６の上面に圧接される。
【００１２】
図１、図４、図７及び図８を参照して、犬小屋１を図１に示す正面から見て、前記図の各々における左右方向（幅方向）に間隔をおいて隣り合う支柱Ｐ１及びＰ２の対の間に保持される前壁６は、一定の厚みを有する板からなる前壁本体６Ｗを備えている。前壁本体６Ｗは、鉛直に延びている幅方向の両側６ａ及び６ｂと、両側６ａ及び６ｂの下端間を水平に延びる下端６ｃと、両側６ａ及び６ｂの上端間を延びる上端６ｄとを備えている。前壁本体６Ｗの中央部には、犬の出入口である開口６ｅが形成されている。上端６ｄは、幅方向中央から両側上端に向かって同じ角度で下方に傾斜している。
【００１３】
前壁本体６Ｗの両側６ａ及び６ｂの全域には、それぞれ枠体３０が配設されている。枠体３０の各々は、直線状に延びるチャンネル板３２と、チャンネル板３２の各々の底部における上端部及び下端部の外面に溶着された嵌合部である金属製の円筒部材６Ａとを備えている。チャンネル板３２の各々及び円筒部材６Ａの各々は相互に共通部品からなる。枠体３０の各々は、チャンネル板３２の各々が前壁本体６Ｗの両側６ａ及び６ｂを覆うよう嵌め込まれ、圧入、接着、ねじ止めなどの固着手段により固着される。円形貫通穴を有する円筒部材６Ａは、前壁本体６Ｗの該幅方向両側６ａ及び６ｂにおける上端部及び下端部の左右対称位置に位置付けられる。また両側６ａ及び６ｂにおいてそれぞれ上下に位置する円筒部材６Ａは、それぞれ共通の鉛直軸線上に位置付けられる。前壁本体６Ｗの両側６ａ及び６ｂにおいて、円筒部材６Ａの各々の上下方向の間隔は同じであり、上記下端部に位置する円筒部材６Ａの各々の下端は、前壁本体６Ｗの下端６ｃと共通の平面上に位置付けられているが、上記上端部に位置する円筒部材６Ａの各々の上端は前壁本体６Ｗの上端６ｄの両側よりも若干低い位置に位置付けられている。
【００１４】
図２、図４及び図９を参照して、犬小屋１を前記正面から見た右側において前後方向（図２及び図９において左右方向、図４において上下方向）に間隔をおいて隣り合う支柱Ｐ２及びＰ３の対の間に保持される側壁８は、一定の厚みを有する板からなる側壁本体８Ｗを備えている。矩形である側壁本体８Ｗは、前後方向の両側８ａ及び８ｂと、両側８ａ及び８ｂの下端間及び上端間をそれぞれ水平に延びる下端８ｃ及び上端８ｄとを備えている。側壁本体８Ｗには、複数の通気孔８ｅが形成されている。
【００１５】
側壁本体８Ｗの両側８ａ及び８ｂの全域には、それぞれ枠体３４が配設されている。枠体３４の各々は、直線状に延びるチャンネル板３６と、チャンネル板３６の各々の底部における上下方向中央部の外面に溶着された嵌合部である金属製の円筒部材８Ｂとを備えている。チャンネル板３６の各々及び円筒部材８Ｂの各々は相互に共通部品からなる。円筒部材８Ｂの各々は、上記円筒部材６Ａの各々とは長さが相違するが、共通の金属管から形成される。枠体３４の各々は、先に述べた枠体３０と同じ如くして側壁本体８Ｗの両側８ａ及び８ｂを含む両側部に固着される。円筒部材８Ｂは、側壁本体８Ｗの該前後方向両側における上下方向中央部の左右対称位置に位置付けられる。円筒部材８Ｂの各々の該軸線方向（上下方向）の長さは、側壁本体６Ｗ（図７）の両側６ａ及び６ｂにおける円筒部材６Ａの各々の該軸線方向の間隔と同じ又はわずかに小さく設定されている。また、円筒部材８Ｂの各々の下端と側壁本体８Ｗの両側８ａの下端８ｃとの該軸線方向の距離は、側壁本体６Ｗ（図７）の下端部の円筒部材６Ａの各々の該軸線方向の長さとほぼ同じに設定されている。また、円筒部材８Ｂの各々の上端と側壁本体８Ｗの両側８ａ及び８ｂの上端８ｄとの該軸線方向の距離は、側壁本体６Ｗ（図７）の上端部の円筒部材６Ａの各々の下端と側壁本体６Ｗの両側６ａ及び６ｂの上端６ｄとの該軸線方向の距離とほぼ同じに設定されている。
【００１６】
犬小屋１を前記正面から見た左側において前後方向に間隔をおいて隣り合う支柱Ｐ１及びＰ４の対の間に保持される側壁１０は、犬小屋１を前記正面から見た右側に位置する側壁８と実質的に同じ形状及び大きさを有しているので、詳細な図示及び説明は省略する。なお、図９において、括弧内は、側壁１０の、側壁８に対応する部分の符号を示している。
【００１７】
図３、図４及び図１０を参照して、犬小屋１を図１に示す正面と反対側の背面から見て、左右方向（幅方向）に間隔をおいて隣り合う支柱Ｐ３及びＰ４の対の間に保持される後壁１２は、前壁６（図７、図８）と実質的に同じ形状及び大きさを有しているので説明は省略する。なお、図１０において、符号は、後壁１２の、前壁６に対応する部分の符号を示している。ただし符号１２ｅは通気孔を示している。
【００１８】
前壁本体６Ｗ、側壁本体８Ｗ、側壁本体１０Ｗ及び後壁本体１２Ｗは、それぞれ一定の厚みを有する、ベニヤ、合板などの板であって、木材、合成樹脂など、用途に対応した適宜の材料からなる板から形成され、各々の両側（符号は省略）の高さは相互に同じである。枠体３０、３４、３７及び４０は、ステンレスなどの鋼、アルミニウムなど適宜の金属から形成される。円筒部材６Ａ、８Ｂ、１０Ｂ及び１２Ａの内径は、支柱Ｐ１〜Ｐ４の各々の支柱本体２４に対し離脱可能に嵌合しうるよう、支柱本体２４の外径よりも大きく形成されている。上記チャンネル板３２、３６、３８及び４２の各々は共通部品からなる。
【００１９】
壁６〜１２の支柱Ｐ１〜Ｐ４への保持は例えば次のようにして行なわれる。図１〜図４及び図６を参照して、先ず、右の側壁８の前側の円筒部材８Ｂを前壁６の右側の円筒部材６Ａの各々間に配置してほぼ同一軸線上に位置付け、１本目の支柱Ｐ２を嵌合して下端の雄ねじ部２８をベース２の右前角部の雌ねじ部１８に締結して直立させる。続いて左の側壁１０の前側の円筒部材１０Ｂを前壁６の左側の円筒部材６Ａの各々間に配置してほぼ同一軸線上に位置付け、２本目の支柱Ｐ１を嵌合して下端の雄ねじ部２８をベース２の左前角部の雌ねじ部１８に締結して直立させる。更に後壁１２の左右それぞれ２個の円筒部材１２Ａを、右の側壁８及び左の側壁１０の各々の後側の円筒部材８Ｂを上下に挟んで位置付けてほぼ同一軸線上に位置付け、３本目及び４本目の支柱Ｐ３及びＰ４をそれぞれ嵌合して下端の雄ねじ部２８をベース２の右後角部及び左後角部の雌ねじ部１８に締結して直立させる。壁６〜１２は、ベース２の四つの角部に直立した支柱Ｐ１〜Ｐ４の各々間に離脱可能に嵌合されて保持される。壁６〜１２（図７〜図１０）の各々の荷重は、壁本体６Ｗ〜１２Ｗの各々の下端６ｃ〜１２ｃの各々がベース２の枠体１６の上面に載置されることにより支持される。
【００２０】
図１〜図４を参照して、屋根１４は屋根板ユニット１４Ｕからなる。屋根板ユニット１４Ｕは、それぞれ縦長矩形で同形である一対の屋根板５０と、屋根板５０の各々の一側部同士を連結する２個のヒンジＨと、カバー部材５２とを備えている。ヒンジＨの各々は前後方向に間隔をおいて屋根板５０の各々の一側部間に跨って内側面に固着され、各々の軸Ｈ１は共通の水平軸線上に位置付けられる。屋根板５０の各々は、木材、合成樹脂など適宜の材料から形成され、一側面が相互に対向する水平位置（不図示）と、水平位置からヒンジＨの各々の軸Ｈ１まわりに下方に同じ角度（９０°未満）回動して傾斜した傾斜位置（取付状態：図１〜図４）と、水平位置から軸Ｈ１まわりに下方にそれぞれ９０°回動した折畳位置（不図示）との間を相対移動可能である。屋根板５０の各々には、支柱Ｐ１〜Ｐ４と整合する位置に取付穴５４（図６）が形成されている。
【００２１】
屋根板５０の各々がそれぞれ水平位置から軸Ｈ１まわりに下方に同じ角度回動して傾斜した取付状態において、取付穴５４の各々は、対応する支柱Ｐ１〜Ｐ４と整合するよう位置付けられる。屋根１４は、一対の屋根板５０の取付穴５４の各々が対応する支柱Ｐ１〜Ｐ４の上端側の雄ねじ部２６に離脱可能に嵌合され、後述するとおりにして雌ねじ部材であるナット６２（図６）により締結されて支持される。
【００２２】
図６を参照して更に具体的に説明すると、支柱Ｐ１〜Ｐ４の各々の水平上端面２４Ｕ上には、軸線に直交する平面と該平面に対し傾斜した傾斜面とを有する第１傾斜ワッシャ５６が、平面を下に傾斜面を上にして雄ねじ部２６に隙間をおいて嵌合されて載置される。第１傾斜ワッシャ５６の傾斜面には、雄ねじ部２６に隙間をおいて嵌合されたプレーンワッシャ５８が載置される。第１傾斜ワッシャ５６の傾斜面は、一対の屋根板５０の傾斜位置に対応して位置付けられる。一対の屋根板５０は、第１傾斜ワッシャ５６の各々の傾斜面に載置されてヒンジＨの軸Ｈ１（図１及び図４）の各々の軸線を中心に該傾斜面の傾斜角度に従ってそれぞれ同じ角度に傾斜させられる（図１及び図３）。屋根板５０の各々の上面から突出した雄ねじ部２６には、プレーンワッシャ５８が隙間をおいて嵌合されて屋根板５０の各々の傾斜した上面に載置され、続いて第１傾斜ワッシャ５６と共通部品である第２傾斜ワッシャ６０が、傾斜面を下に平面を上にして雄ねじ部２６に隙間をおいて嵌合され、屋根板５０の各々の傾斜した上面にプレーンワッシャ５８を介して載置される。雄ねじ部２６には、更にナット６２が締結されて第２傾斜ワッシャ６０の水平な平面（上面）を下方に押圧する。ゴム製のキャップ６４がナット６２を上方から覆うよう嵌合される。キャップ６４は、ナット６２の保護（含む：水の浸入防止）、外観の確保などに寄与する。第１傾斜ワッシャ５６及び第２傾斜ワッシャ６０の利用は、屋根板５０の各々の傾斜角度を容易に設定することが可能となり、実用上有用である。
【００２３】
図１〜図４を参照して、一対の屋根板５０の山形の頂部は、カバー部材５２により上方から離脱可能に覆われて、屋根１の頂部からの水漏れが防止される。カバー部材５２は、横断面が一対の屋根板５０の頂部と同じ角度の等辺を有しかつ一対の屋根板５０の、ヒンジＨの各々における軸方向の一端から他端まで直線状に延在する山形のカバー板５２Ａと、カバー板５２Ａの両端を覆うよう固着された端板５２Ｂとからなる。端板５２Ｂの各々は、山形の上端と鉛直に延びる両側と水平に延びる下端とを有している。カバー板５２Ａは、一対の屋根板５０の頂部を上方から覆いかつ、端板５２Ｂが一対の屋根板５０の頂部の両端を外側から覆うよう、一対の屋根板５０にねじ止めなど、適宜の固着手段により固着される。図示のカバー部材５２は板金製であるが、適宜の合成樹脂による一体成形品であってもよい。
【００２４】
上記犬小屋１においては、上記した如く、支柱Ｐ１〜Ｐ４は、各々の雄ねじ部２８をベース２の雌ねじ部１８に締結することによりベース２に直立して固着される。また壁６〜１２は、相互に隣り合う支柱Ｐ１とＰ２の対の間、支柱Ｐ２とＰ３の対の間、支柱Ｐ１とＰ４の対の間及び支柱Ｐ３とＰ４の対の間に、円筒部材６Ａ、８Ｂ、１０Ｂ及び１２Ａを対応する支柱Ｐ１〜Ｐ４に離脱可能に嵌合することにより保持され、屋根１４は、支柱Ｐ１〜Ｐ４の各々上に取付穴５４を介して嵌合されかつナット６２により締結される。その結果、機械などを使用することなく短時間で容易にかつしっかりと組み立てることができる。また、短時間で容易に分解することも可能である。具体的には、最初に屋根１４を支柱Ｐ１〜Ｐ４から取り外し、続いて支柱Ｐ１〜Ｐ４を順次にベース２から離脱することにより、壁６〜１２を順次に取り外すことができる。分解した各構成部材は、人がバッグなどに入れて携帯可能であり（屋根１４は折り畳める）、実用上有用である。更には、全体の構成が簡単で軽量かつコンパクトであり、低コストで製作することができる。なお、壁６〜１２の円筒部材６Ａ、８Ｂ、１０Ｂ及び１２Ａを、対応する支柱Ｐ１〜Ｐ４に対し離脱可能に嵌合して保持する構成は、後の実施形態においても同じである。したがって以下の説明においては、説明の簡略化のため「離脱可能」という表現は省略されている。
【００２５】
上記犬小屋１においては、それぞれ一側同士が同じ高さ位置で共通の支柱Ｐ１〜Ｐ４にそれぞれ保持される一対の壁が複数対備えられている（前壁６と側壁８、前壁６と側壁１０、側壁８と後壁１２、側壁１０と後壁１２）。該一対の壁の各々は、該一側の円筒部材が相互に干渉しない高さ位置に配設されて対応する共通の支柱Ｐ１〜Ｐ４に嵌合される（前壁６の一側の２個の円筒部材６Ａとこれらの中間部に配設される側壁８の一側の１個の円筒部材８Ｂ、前壁６の他側の２個の円筒部材６Ｂとこれらの中間部に配設される側壁１０の一側の１個の円筒部材１０Ｂ、側壁８の他側の１個の円筒部材８Ｂとこれを上下に挟んで配設される後壁１２の一側の２個の円筒部材１２Ａと、側壁１０の他側の１個の円筒部材１０Ｂとこれを上下に挟んで配設される後壁１２の他側の２個の円筒部材１２Ａ）。この構成によれば、同じ高さの壁２個（例えば前壁６と側壁８）を、１本の共通の支柱（例えば支柱Ｐ２）に短時間で容易にかつしっかりと保持できる。また短時間で容易に分解することも可能である。更には、全体の構成のコンパクト化にも寄与する。更にはまた、共通の支柱に保持される２個の壁は、該支柱に対し相対回動可能であるので、後述するとおり多角形のベース及び壁を備えた多角形の組立式簡易ハウスを容易に構築することができ、実用上有用であるとともに、基本的な構成を利用して、要求される種々の用途に対しそれぞれに適応した種々の形態に構築することを可能にする。なお、前壁６及び後壁１２における円筒部材６Ａ及び１２Ａの配列の形態は、図４０（ａ）に示す壁ＷＡの形態に相当し、側壁８及び１０における円筒部材８Ｂ及び１０Ｂの配列の形態は、図４０（ｂ）に示す壁ＷＢの形態に相当する。また、一対の壁の一側の高さが互いに異なっていても、該一側の各々の円筒部材が相互に干渉しない高さ位置に配設されて共通の支柱に嵌合されることはいうまでもない。
【００２６】
上記犬小屋１においては、屋根板ユニット１４Ｕの前記軸方向の両端に位置して前記軸方向に直交する方向に延びる一対の壁である前壁６及び後壁１２の上端６ｄ及び１２ｄは、それぞれ一対の屋根板５０の下面に沿って傾斜方向に延びるよう山形に傾斜している。屋根板ユニット１４Ｕの前記軸方向に延びるよう位置する一対の壁である側壁８及び１０の上端８ｄ及び１０ｄは、それぞれ一対の屋根板５０の下面に沿って前記軸方向に水平に延びている。この構成は、壁６〜１２の各々の上端と屋根板５０の各々の下面との隙間を小さくすること、あるいは図示しない弾性部材を介在させるなど、他の手段を施すことにより上記隙間をゼロにしたり、屋根１４の荷重を支持したりすることなどを可能にする。
【００２７】
図１１及び図１２には、本発明に従って構成された組立式簡易ハウスの他の実施形態が示されている。図示の組立式簡易ハウス７０は、四角形のベース７１と、６個の支柱Ｐ１〜Ｐ６と、それぞれ複数個の壁７２、７３、７４、７５、７６及び７７と、ドア７８及び７９と、屋根８０とを備えている。なお、図１１及び図１２において括弧内の符号は、Ｘ−Ｘ方向（屋根８０の図示しないヒンジＨの各々の軸方向）及びＸ−Ｘ方向に水平に直交するＹ−Ｙ方向の対称位置にそれぞれ存在する実質的に同じ部材であって図面上見えない部材を示している。
【００２８】
ベース７１の基本的構成は、図５及び図６を参照して説明したベース２と実質的に同じであるので説明は省略する。図１１及び図１２においては不図示の雌ねじ部１８（図５及び図６）は、ベース２の４つの角部に配設されている４個の他に、Ｙ−Ｙ方向の両側におけるＸ−Ｘ方向の右端寄りの位置にそれぞれ配設される２個の支柱Ｐ５及びＰ６に対応して雌ねじ部１８が２個増加して配設されている。
【００２９】
相互に共通部品からなる支柱Ｐ１〜Ｐ６は、それぞれ複数個の、実施形態においては２個の支柱からなる。代表として支柱Ｐ２について図３９を参照して説明する。支柱Ｐ２は、相互に分離可能に連結される２個の支柱であって、上支柱９０及び下支柱９２からなる。上支柱９０は、支柱本体９３の上端及び下端からそれぞれ延び出している支柱本体９３よりも小径の雄ねじ部９４及び９５を備えている。上支柱９０は図６に示す支柱Ｐ１と実質的に同じ構成を有しているので、更なる説明は省略する。下支柱９２は、支柱本体９６の上端部において上端から下方に延びる雌ねじ部９７と、支柱本体９６の下端から下方に延び出している支柱本体９６よりも小径の雄ねじ部９８とを備えている。雌ねじ部９７は、支柱本体９６の上端部内にナットを挿入して溶着することにより構成される。ナットの上端面は、支柱本体９６の上端面と共通の平面（軸線に直交する平面）上に存在する。その他の構成は、図６に示す支柱Ｐ１と実質的に同じであるので、更なる説明は省略する。下支柱９２は、下端の雄ねじ部９８がベース７１の雌ねじ部１８（不図示）に締結されて直立させられ、上支柱９０は、下端から延び出している雄ねじ部９５が下支柱９２の上端部の雌ねじ部９７に締結されることにより下支柱９２と一体に固着される。他の支柱Ｐ１及びＰ３〜Ｐ６も、上記したのと同じ如くしてベース７１に直立させられる。
【００３０】
支柱Ｐ１とＰ２の対の間及び支柱Ｐ３とＰ４の対の間には、それぞれ４個の壁７２及び７７が、上下方向に積み重ねられて保持されている。壁７２及び７７は、壁本体両側の中央部にそれぞれ円筒部材７２Ｂ及び７７Ｂを備えている（円筒部材７２Ｂ及び７７Ｂの配列の形態は、図４０（ｂ）に示されている壁ＷＢの形態に相当）。円筒部材７２Ｂ及び７７Ｂは、図７及び図８に示すチャンネル板３２と実質的に同じ構成を有するチャンネル板と一体に配設される。最上端に位置する壁７２及び７７の壁本体の上端は、図７に示す前壁本体６Ｗの上端６ｄと同じ如く、幅方向中央から両側上端に向かって同じ角度（屋根８０の傾斜角度と同じ角度）で下方に傾斜している。その他の壁７２及び７７の壁本体の形状は矩形である。
【００３１】
支柱Ｐ２とＰ５の対の間及び支柱Ｐ１とＰ６の対の間には、それぞれ４個の壁７３及び７４が、上下方向に積み重ねられて保持されている。壁７３及び７４は、壁本体両側の上端部及び下端部にそれぞれ円筒部材７３Ａ及び７４Ａを備えている（円筒部材７３Ａ及び７４Ａの配列の形態は、図４０（ａ）に示されている壁ＷＡの形態に相当）。円筒部材７３Ａ及び７４Ａは、図７及び図８に示すチャンネル板３２と実質的に同じ構成を有するチャンネル板と一体に配設される。壁７３及び７４の壁本体の形状は矩形である。
【００３２】
支柱Ｐ５とＰ３の対の間及び支柱Ｐ６とＰ４の対の間の最上端位置には、それぞれ１個の壁７５及び７６が保持されている。図１３に示すように、壁７５の壁本体の形状は矩形であり、一側の中央部には円筒部材７５Ｂが備えられ、他側の上端部及び下端部にそれぞれ円筒部材７５Ａを備えている（円筒部材７５Ａ及び７５Ｂの配列の形態は、図４０（ｃ）に示されている壁ＷＣの形態に相当）。円筒部材７５Ｂ及び７５Ａは、それぞれ図７及び図８に示すチャンネル板３２と実質的に同じ構成を有するチャンネル板と一体に配設される。壁７５の壁本体の形状は矩形である。壁７６は、壁７５と左右勝手違いの構成を有している（不図示）。
【００３３】
支柱Ｐ５とＰ３の対の間及び支柱Ｐ６とＰ４の対の間であって、壁７５及び７６の直下方位置には、それぞれ矩形のドア７８及び７９が回動可能に保持されている。図１４に示すように、矩形状のドア７８の鉛直に延びている片側には円筒部材７８Ｎが上下方向に間隔を置いて４個配設されている。円筒部材７８Ｎの各々は、それぞれ図７及び図８に示すチャンネル板３２と実質的に同じ構成を有するチャンネル板と一体に配設される。ドア７８及び７９は開閉用のノブ７８Ｋ及び７９Ｋ（不図示）を備えている。ドア７９は、ドア７８と左右勝手違いの構成を有している（不図示）。支柱Ｐ６とＰ４の対の間にドア７９を配設せず、図示しない３個の壁を積み重ねて配設する他の実施形態もある。
【００３４】
壁７２の各々の一側の中央部の円筒部材７２Ｂは、それぞれ同じ高さで隣り合う壁７３の各々の一側の上端部及び下端部の円筒部材７３Ａに上下を挟まれて、共通の支柱Ｐ２に嵌合・保持される。最上端の壁７３の他側の上端部及び下端部の円筒部材７３Ａは、同じ高さで隣り合う最上端の壁７５の一側の中央部の円筒部材７５Ｂを上下に挟んで、共通の支柱Ｐ５に嵌合・保持される。最上端を除く他の３個の壁７３の他側の上端部及び下端部の円筒部材７３Ａは、支柱Ｐ５に嵌合・保持される。支柱Ｐ５において、３個の壁７３の各々の他側の該円筒部材７３Ａ間の三つの空間部には、それぞれ同じ横断面形状のカラー（円筒部材）ＣＬが離脱可能に嵌合されている。ドア７８の一側の円筒部材７８Ｎの各々は、支柱Ｐ３に回動可能に嵌合・保持される。図示しない壁７７のうち最上端の壁７７の一側の中央部の円筒部材７７Ｂは、同じ高さで隣り合う最上端の壁７５の他側の上端部及び下端部の円筒部材７５Ａに上下を挟まれて、共通の支柱Ｐ３に嵌合・保持され、最上端を除く他の３個の壁７７の一側の中央部の円筒部材７７Ｂは、３個の壁７７と同じ高さで隣り合うドア７８の一側の円筒部材７８Ｎの各々間に挟まれて、共通の支柱Ｐ３に嵌合・保持される。図１１及び図１２に示す組立式簡易ハウス７０において、図面上に現れない裏側の各構成部材の支持構造は、前記した図面上に現れている表側の各構成部材の支持構造と同じであるので、説明は省略する。
【００３５】
壁７２、７３、７４及び７７の各々は、それぞれ上下方向に積み重ねられて保持されているが、積み重ね部分の構造は相互に共通であるので、以下、それらを代表して壁７３の各々における積み重ね部分の構造について説明する。図１５及び図１６には、相対的に下に位置する壁７３として最下端に位置する壁７３の一部が図示され、相対的に上に位置する壁７３として、最下端に位置する壁７３の直上方に位置する壁７３の一部が図示されている。下の壁７３は矩形の壁本体７３Ｗを有し、壁本体７３Ｗの両側の上端部及び下端部には、図７に示す前壁６と同じ如く、チャンネル板１００を介して円筒部材７３Ａが配設されている。更に水平に延びる下端には金属製のチャンネル板１０２が、両側のチャンネル板１００間にわたって嵌合・固着されている。下の壁７３の水平に延びる上端には金属製のチャンネル板１０４が、両側のチャンネル板１００間にわたって嵌合・固着されている。チャンネル板１０４の底部外面である上面における幅方向中央には、一定の上下方向幅及び一定の水平方向厚みを有する突条１０６が、該上面、したがって下の壁７３の上端に沿って延びるよう溶着されている。突条１０６は帯状の金属板からなる。
【００３６】
上の壁７３は矩形の壁本体７３Ｗを有し、壁本体７３Ｗの両側の上端部及び下端部には、下の壁７３と同じ如く、チャンネル板１００を介して円筒部材７３Ａが配設されている。上の壁７３の水平に延びる下端には、金属製のチャンネル板１０８が、両側のチャンネル板１００間にわたって嵌合・固着されている。チャンネル板１０８の底部外面である下面における幅方向中央部には、一定の高さを有する２枚の金属板１１０が、幅方向に間隔をおいて平行に該下面、したがって上の壁７３の下端に沿って延びるよう溶着されている。２枚の金属板１１０の間と該下面との間には下方に開放された溝１１２が形成される。
【００３７】
上の壁７３は、その下端の溝１１２が下の壁７３の上端の突条１０６に離脱可能に嵌合されて下の壁７３に支持される。最下端に位置する壁７３は、下端面がベース７１の上面に載置されて支持される。上記した如き壁７３の各々の積み重ね構造によれば、外部から雨などの水の浸入を防止することができるとともに、上の壁７３の荷重を下の壁７３により支持することができる。なお、水の浸入を防止する必要がない場合には、溝１１２及び突条１０６は不要である。
【００３８】
屋根８０は、図１〜図４などを参照して説明した犬小屋１の屋根１４と実質的に同じ構成を有しているので説明は省略する。屋根８０の支柱Ｐ１〜Ｐ６に対する取り付けは、図６に示す取付手段と実質的に同じ如くして行なわれる。なお、屋根板ユニット８０Ｕの軸方向（不図示である複数個のヒンジＨの各々における軸Ｈ１の軸方向）の両端に位置して該軸方向に直交する方向に延びる複数の壁７２及び７７のうち最上位に位置する壁７２及び７７の上端は、屋根板８１の各々の下面に沿って傾斜方向に延びるよう傾斜している。また、屋根板ユニット８０の両側部をそれぞれ該軸方向に延びる複数の壁７３及び７４のうち最上位に位置する壁７３及び７４の上端は、それぞれ屋根板８１の各々の下面に沿って該軸方向に水平に延びている。
【００３９】
上記した組立式簡易ハウス７０は、図１に示す犬小屋１と実質的に同じ特徴ある構成を有しているので、実質的に同じ効果を奏することが可能である。なお、組立式簡易ハウス７０の組み立ては、支柱Ｐ１〜Ｐ６の各々を、２個の上支柱８０及び下支柱９０を分離可能に締結して一体に構成することによって、或いはまた３個以上の支柱から分離可能に締結して一体に構成することによって、短時間で容易にかつしっかりと組み立てることができ、また、短時間で容易に分解することも可能である。
【００４０】
図１７〜図２０には、本発明に従って構成された組立式簡易ハウスの更に他の実施形態が示されている。図示の組立式簡易ハウス１２０は、図１１及び図１２などを参照して説明した組立式簡易ハウス７０と比較して、屋根の構成が屋根８０と相違するが、その他の基本的構成は実質的に同じであるので、説明は必要最小限に止める。
【００４１】
組立式簡易ハウス１２０は、四角形のベース１２２と、ベース１２２の周縁部に直立された８個の支柱Ｐ１〜Ｐ８と、支柱の、複数の対の間に保持された少なくとも１個の壁（いずれも符号は省略）と、１個のドア１２３と、屋根１２４とを備えている。支柱Ｐ１、Ｐ２、Ｐ４及びＰ５は、ベース１２２の４個の角部に締結されている。支柱Ｐ７及びＰ８は、ベース１２２の両側部であって、それぞれ支柱Ｐ２とＰ４間の中央、支柱Ｐ１とＰ５間の中央に締結されている。支柱Ｐ３は、支柱Ｐ１とＰ２間の中央から支柱Ｐ２側に寄った位置に、また支柱Ｐ６は、支柱Ｐ４とＰ５間の中央から支柱Ｐ４側に寄った位置に、それぞれ締結されている。
【００４２】
屋根１２４は、複数個の、実施形態においては３個の屋根板ユニット１２４Ｕからなる。屋根板ユニット１２４Ｕの各々は、図１〜図４に示す屋根板ユニット１４Ｕと基本的構成は同じである。更に具体的に説明すると、屋根板ユニット１２４Ｕの各々は、それぞれ矩形をなす一対の屋根板１２６と屋根板１２６の各々の一側部同士を連結するヒンジＨとを備えかつ一対の屋根板１２６がヒンジＨの軸Ｈ１まわりに折り畳み可能に構成されるとともに、各々の軸Ｈ１が共通の仮想水平軸線に沿って位置するよう併設されてなる。屋根板ユニット１２４Ｕの各々における一対の屋根板１２６には、水平位置から軸Ｈ１まわりに下方に同じ角度回動して傾斜した取付状態において、支柱Ｐ１〜Ｐ８と位置が整合するように不図示の取付穴が形成されている。
【００４３】
図２０において該軸線方向の右端に位置する屋根板ユニット１２４Ｕは、該取付状態において、該軸線方向の外側端部に支柱Ｐ４、Ｐ５及びＰ６に対応した位置に該取付穴が形成されて該支柱Ｐ４、Ｐ５及びＰ６に図６に示す如くして支持される。また、該軸線方向の左端に位置する屋根板ユニット１２４Ｕは、該取付状態において該軸線方向の外側端部に支柱Ｐ１、Ｐ２及びＰ３に対応して該取付穴が形成されて該支柱Ｐ１、Ｐ２及びＰ３に図６に示す如くして支持される。更にはまた、両端に位置する両端屋根板ユニット１２４Ｕの各々に対し該軸線方向の内方に位置する少なくとも１個（実施形態においては１個）の中間屋根板ユニット１２４Ｕには、該取付状態において該軸線方向の中間位置であって該軸線方向に直交する幅方向の両側部に、それぞれ少なくとも１個（実施形態においてはそれぞれ１個）の該取付穴が形成され、該支柱Ｐ７及びＰ８に後述する屋根梁１２８を介して支持される。
【００４４】
支柱Ｐ７及びＰ８間には屋根梁１２８が保持される。図２１及び図２２を参照して、屋根梁１２８は、一定の厚みを有する板部材から形成される本体１２８Ａを備えている。本体１２８Ａは、水平下端と、水平下端から間隔をおいて鉛直上方に同じ高さだけ延びる両側と、両側の上端から中央に向かって同じ長さ及び同じ角度で傾斜して延びる上端とを備えている。本体１２８Ａの両側の全域には、それぞれ金属製の枠体１３０が配設されている。枠体１３０の各々は、直線状に鉛直に延びるチャンネル板１３２と、チャンネル板１３２の各々の底部外面に溶着されたフランジ板部材１３４とを備えている。フランジ板部材１３４は、一定の幅で直線状に鉛直に延びる本体１３４Ａと、本体１３４Ａの上端及び下端から同じ方向に水平に延び出す一対の水平フランジ１３４Ｂとを備えている。水平フランジ１３４Ｂの各々に、共通の鉛直軸線を有する円形貫通穴１３４ｃが形成されている。フランジ板部材１３４は、本体１３４Ａの、水平フランジ１３４Ｂが延び出す面と反対側の面がチャンネル板１３２の各々の底部外面に重合されて溶着される。枠体１３０の各々は、チャンネル板１３２の各々が屋根梁１２８の両側を覆うよう嵌め込まれ、圧入、接着、ねじ止めなどの固着手段により固着される。枠体１３０の各々が屋根梁１２８の両側に固着された状態で、下の水平フランジ１３４Ｂの下面とチャンネル板１３２の下端と屋根梁１２８の本体１２８Ａの下端とは、同一水平面上に位置付けられ、かつチャンネル板１３２の上端と本体１２８Ａの上端（傾斜面）と同一傾斜面上に位置付けられ、上の水平フランジ１３４Ｂの上面は、本体１２８Ａの対応する側上端に対し下方に間隔をおいて位置付けられる。枠体１３０の各々において、円形貫通穴１３４ｃが形成された水平フランジ１３４Ｂの各々は、対応する支柱に対する嵌合部を構成する。
【００４５】
屋根梁１２８は、両側の水平フランジ１３４Ｂの対が、それぞれ円形貫通穴１３４ｃを介して支柱Ｐ７及びＰ８の上端部に嵌合・保持される。図１９を参照して更に具体的に説明すると、支柱Ｐ７には、これを共通の支柱として、両側中央部に円筒部材１３６Ｂを有する４個の壁１３６と、両側上端部及び下端部に円筒部材１３８Ａを有する４個の壁１３８との一側がそれぞれ積み重ねられて嵌合・保持される。そして、屋根梁１２８の一側の水平フランジ１３４Ｂの対が、最上端に位置する壁１３８の上端部の円筒部材１３８Ａを上下に挟んで支柱Ｐ７の上端部に嵌合・保持される。屋根梁１２８の他側の水平フランジ１３４Ｂの対も同じ如くして、支柱Ｐ８の上端部に嵌合・保持される。屋根梁１２８の上端の傾斜面は、それぞれ中間屋根板ユニット１２４の一対の屋根板１２６の下面に沿って傾斜方向に延びるよう位置付けられる。屋根１２４の支柱Ｐ１〜Ｐ８に対する取り付けは、図６に示す取付手段と実質的に同じ如くして行なわれる。なお、最上端に位置する壁１３８の、支柱Ｐ７に嵌合・保持される上端部の円筒部材１３８Ａを除去した形態の壁１３８（図４０（ｄ）に示される形態の壁ＷＤ）を使用する他の実施形態もある。この実施形態において、屋根梁１２８の一側の水平フランジ１３４Ｂの対は、最上端に位置する壁１３６の中央部の円筒部材１３６Ｂの直上方位置において支柱Ｐ７の上端部に嵌合・保持される。屋根梁１２８の他側の水平フランジ１３４Ｂの対も同じ如くして、支柱Ｐ８の上端部に嵌合・保持される。この実施形態においては、水平フランジ１３４Ｂの対に替えて円筒部材を使用する他の実施形態もある。
【００４６】
両端屋根板ユニット１２４Ｕの各々における一対の屋根板１２６の該軸線方向の内側に位置する端部の各々は、両端屋根板ユニット１２４Ｕの各々の該軸線方向の内方に位置する中間屋根板ユニット１２４Ｕにおける一対の屋根板１２６の該軸線方向の外側に位置する端部の各々に対し上から重ねられるよう配置される。更に具体的に説明すると、両端屋根板ユニット１２４Ｕの各々における一対の屋根板１２６の該軸線方向の内側に位置する端部の各々には、金属製の内側補強板１４０（図２４）が取り付けられる。内側補強板１４０の各々は、該軸方向の外方に開放するチャンネル部１４０Ａと、チャンネル部１４０Ａの上端から該軸線方向の内方に直線状に張り出す張出部１４０Ｂと、張出部１４０Ｂの先端から垂下する下向きフランジ部１４０Ｃとを備えている。内側補強板１４０の各々は、チャンネル部１４０Ａが該端部の各々に嵌合・固着されることにより取り付けられる（図２３）。
【００４７】
中間屋根板ユニット１２４Ｕにおける一対の屋根板１２６の該軸線方向の両側に位置する端部の各々には外側補強板１４２が取り付けられる。外側補強板１４２の各々は、端部の各々に対する取り付けの向きが相違するだけで（図２３参照）、内側補強板１４０と共通部品からなる。図２３に示すように、外側補強板１４２の各々は、該軸方向の内方に開放するチャンネル部１４２Ａと、チャンネル部１４２Ａの下端から該軸線方向の外方に直線状に張り出す張出部１４２Ｂと、張出部１４２Ｂの先端から上方に直角に延び出す上向きフランジ部１４２Ｃとを備えている（図２４においてこれらの符号は括弧で括って示されている）。外側補強板１４２の各々は、チャンネル部１４２Ａが該端部の各々に嵌合・固着されることにより取り付けられる（図２３）。両端屋根板ユニット１２４Ｕの各々の内側補強板１４０の張出部１４０Ｂ及び下向きフランジ部１４０Ｃは、対応する中間屋根板ユニット１２４Ｕの外側補強板１４２の張出部１４２Ｂ及び上向きフランジ部１４２Ｃに対し上から覆うよう配置される（図２３参照）。このような構成により、屋根板ユニット１２４Ｕの各々における一対の屋根板１２６の、相互に隣り合う端部の各々をしっかりと補強し、かつ両端屋根板ユニット１２４Ｕの各々における一対の屋根板１２６の該軸線方向の内側に位置する端部の各々を、中間屋根板ユニット１２４Ｕにおける一対の屋根板１２６の該軸線方向の両側に位置する端部の各々上にしっかりと支持することを可能にする。
【００４８】
屋根板ユニット１２４Ｕの各々における屋根板１２６の対の全ての頂部及び両端は、カバー部材１２５により上方から離脱可能に覆われる。カバー部材１２５は、図１〜図４を参照して説明したカバー部材５２と実質的に同じ構成を有しているので説明は省略する。上記実施形態において、中間屋根板ユニット１２４Ｕは１個であるが、複数個である他の実施形態もある。また、中間屋根板ユニット１２４Ｕの一対の屋根板１２６は、両側をそれぞれ１個の支柱Ｐ７及びＰ８と１個の屋根梁１２８により支持するよう構成されているが、一対の屋根板１２６の該軸方向の大きさに対応してそれぞれ複数個の支柱と複数個の屋根梁により支持する他の実施形態もある。
【００４９】
図２５には、本発明に従って構成された組立式簡易ハウスの更に他の実施形態が図示されている。図示の組立式簡易ハウスは簡易スタンドショップ１５０である。スタンドショップ１５０において、相互に隣り合う支柱の対であって少なくとも一対の支柱の間（実施形態においては図２５における手前側の４対の支柱の間）には、２個の壁が上下方向に間隔をおいて対向するよう保持されている。これら上下方向に間隔をおいて対向する壁と該壁を保持する支柱の対との間に空間が形成される。以下、該空間を形成する具体的構成の一例を説明する。
【００５０】
支柱Ｐ１とＰ２の間には、２個の壁１５２及び１５４が上下方向に間隔をおいて対向するよう保持されている。下の壁１５４は、１個の壁１５６を介してベース１５８の上面に支持されている。すなわち、壁１５４は壁１５６の上に積み重ねられて保持される。壁１５４及び１５６は、それぞれ両側の上端部及び下端部に円筒部材１５４Ａ及び１５６Ａを備え、円筒部材１５４Ａ及び１５６Ａの各々が支柱Ｐ１とＰ２に嵌合・保持される。上の壁（最上端の壁）１５２は、両側の上端部及び下端部に円筒部材１５２Ａを備え、円筒部材１５２Ａの各々が支柱Ｐ１とＰ２に嵌合・保持される。支柱Ｐ１及びＰ２の支柱本体であって、上の壁１５２の下側の円筒部材１５２Ａと、壁１５４の上側の円筒部材１５４Ａとの間における支柱本体には、それぞれ１個のカラーである円筒部材１６０が離脱可能に嵌合される。円筒部材１６０の各々の存在により、壁１５２は、最上端の所定の位置に保持されるので、該空間が形成される。なお、支柱Ｐ１及びＰ２において、それぞれ他の支柱との間に保持された図示しない複数個の壁の複数個の円筒部材が嵌合・保持されている場合には、これらの円筒部材の存在により、壁１５２は、最上端の所定の位置に保持される。図示の実施形態において、壁１５６が存在しない場合には、壁１５４の下端がベース１５８の上面に支持される。壁１５４の直上方には、支柱Ｐ１及びＰ２を含む複数の支柱にわたって、カウンター１６２が配設されている。
【００５１】
図２６及び図２８には、本発明に従って構成された組立式簡易ハウスの更に他の実施の形態が示されている。この実施形態は、先に説明した実施形態に対し、ベース及び屋根の平面形状が相違し、かつ屋根の構成が本質的に相違しているが、その他の基本的構成は実質的に同じである。
【００５２】
図示の組立式簡易ハウス１７０は、平面形状が多角形（実施形態においては正六角形）のベース１７２と、６個の支柱Ｐ１〜Ｐ６と、２種類の形態の壁１７４及び１７６と、平面形状が多角形（実施形態においては正六角形）の屋根１８０とを備えている。
【００５３】
ベース１７２は、図２７に示されているように、平面形状が台形の６個の枠体１７３を相互に周方向に配列してボルト＆ナットＢＮにより締結することにより構成される（上面に装着される床板は不図示）。枠体１７３の各々は、横断面が四角形の５個の金属管、実施形態においては鋼管を相互に溶着することにより形成されている。ベース１７２の角部の各々には先に述べた雌ねじ部１８（図６）が配設されている。ベース１７２の上面及び下面は、相互に平行な水平面上に位置付けられる。
【００５４】
支柱Ｐ１〜Ｐ６は、図３９に示す２分割の形態の支柱が使用され、それぞれ対応する雌ねじ部１８に締結されて直立させられる。壁１７４の各々は、両側の上端部及び下端部に円筒部材１７４Ａが形成された形態の壁（図４０（ａ）に示される形態の壁）であり、また壁１７６の各々は、両側の中央部に円筒部材１７６Ｂが形成された形態の壁（図４０（ｂ）に示される形態の壁）である。支柱Ｐ５、Ｐ６、Ｐ１、Ｐ２、Ｐ３及びＰ４の相互に隣り合う各対間には、各対間において交互に、それぞれ４個の壁１７４と４個の壁１７６とが積み重ねられて、先に述べたのと同じ如くして保持されるが、支柱Ｐ４とＰ５の対間においては、最上端に壁１７４が保持され、その下方には図示しないドアが回動可能に保持される（何れも図示せず）。
【００５５】
支柱Ｐ１〜Ｐ６の上端部には屋根１８０が支持される。屋根１８０は、平面から見て正六角形の中心から正六角形の頂点に向かって延びるよう一体に連結された６個の屋根梁１８２（図２９、図３２）と、それぞれ周方向に隣り合う屋根梁１８２間に跨って配設された６個の屋根ユニット１８４（図３０、図３５）とを備えている。
【００５６】
相互に共通部品からなる屋根梁１８２の各々は、板梁１８６と、樋部材１８８と、嵌合部であるフランジ板部材１３４（図２２）とを備えている。図２９を参照して、例えば一定の厚みを有する木材から形成される板梁１８６は、鉛直に延びる中心側端１８６ａと、鉛直に延びる頂点側端１８６ｂであって中心側端１８６ａよりも短い頂点側端１８６ｂと、中心側端１８６ａの上端から頂点側端１８６ｂの上端まで下方に傾斜して直線状に延びる上端１８６ｃと、中心側端１８６ａの下端から頂点側端１８６ｂの下端まで水平に延びる下端１８６ｄとを備えている。フランジ板部材１３４（図２２）は、板梁１８６の頂点側端１８６ｂを含む頂点側端部に嵌合・固着されたチャンネル板１３２（図２２）の底部外面に溶着されている。板梁１８６の中心側端部には、上下方向に間隔をおいて３個の取付穴１８７が形成されている。フランジ板部材１３４の下側の水平フランジ１３４Ｂの下面と板梁１８６の下端１８６ｄとは同一水平面上に存在し、上側の水平フランジ１３４Ｂの上面は、板梁１８６の頂点側端１８６ｂの上端に対し下方に間隔をおいた位置に位置付けられる。
【００５７】
図３１を参照して、金属製の樋部材１８８は、下方に開放された下向き取付チャンネル板部１９０と、下向き取付チャンネル板部１９０の上側に一体に配設された樋板部１９２とからなる。下向き取付チャンネル板部１９０は、一定の水平方向幅で水平に延びる天壁１９０ａと、天壁１９０ａの両側から下方に直角に同じ長さ延び出す下側壁１９０ｂとからなる。樋板部１９２は、前記天壁１９０ａと、天壁１９０ａから両側外方に水平に同じ長さ延び出す下フランジ１９２ａと、下フランジ１９２ａの各々の先端から上方に直角に同じ長さ延び出す上側壁１９２ｂと、上側壁１９２ｂの上端から直角に相互に接近する方向に同じ長さ延び出して先端間に一定の間隔を形成する上フランジ１９２ｃとからなる。そして下向き取付チャンネル板部１９０が板梁１８６の上端１８６ｃを含む上端部に嵌合・固着される（図２９、図３０及び図３２をも参照）。
【００５８】
図２９及び図３２〜図３４を参照して、板梁１８６の各々の中心側端部には、平面から見てそれぞれＶ形をなす６個の連結板２００がそれぞれ周方向に対向する屋根梁１８２の板梁１８６の対向面に重合されて、それぞれねじ部材であるボルト＆ナットＢＮにより共締めされる。これにより板梁１８６の各々、したがって屋根梁１８２の各々は、該中心側端部において６個の連結板２００を介して相互に一体に連結される。相互に共通部品から構成される連結板２００は、縦長の略矩形状の金属板を水平方向の中心を通る仮想鉛直中心線を軸として内角が６０度となるように折り曲げられて形成される。連結板２００の二つの辺２０２には、上下方向に間隔をおいて３個の取付穴２０４が形成されている。この取付穴２０４は、板梁１８６の取付穴１８７に対応している。屋根梁１８２の各々は、該中心側端部において６個の連結板２００を介して相互に一体に連結された状態において、連結板２００の二つの辺２０２の傾斜した上端２０２ａは重合される板梁１８６の上端１８６ｃと同一面上に位置付けられ、水平下端２０２ｂは重合される板梁１８６の下端１８６ｄと同一面上に位置付けられる。板梁１８６の各々に配設されたフランジ板部材１３４は、支柱Ｐ１〜Ｐ６の各々において、最上端に位置する壁１７４（図２６）の上側の円筒部材１７４Ａを上下方向に挟んで各々の支柱本体の上端部に嵌合・支持される。
【００５９】
図３０、図３１及び図３５を参照して、相互に共通部品からなる屋根ユニット１８４の各々は、台形の屋根板１８４Ａと、屋根板１８４Ａの平行でない対辺であって、周方向に隣り合う板梁１８６と同じ周方向角度で延びる対辺に配設された係止チャンネル部材２１０とからなる。屋根板１８４Ａは一定の厚みを有する材料、典型的には木材からなる。金属製の係止チャンネル部材２１０は、水平横方向に開放された横向き取付チャンネル板部２１２と、横向き取付チャンネル板部２１２の下側に一体に配設された横向き係止チャンネル板部２１４とからなる。横向き取付チャンネル板部２１２は、一定の上下方向幅で水平に延びる天壁２１２ａと、天壁２１２ａの上端及び下端から水平同方向に直角に延び出す上側壁２１２ｂ及び下側壁２１２ｃとからなる。横向き係止チャンネル板部２１４は、該天壁２１２ａの下端から下方に延び出す係止天壁２１４ａと、該下側壁２１２ｃと、係止天壁２１４ａの下端から直角に該下側壁２１２ｃの下方を平行に該下側壁２１２ｃよりも短い長さだけ延び出す下係止側壁２１４ｂとからなる。係止チャンネル部材２１０の各々は、横向き取付チャンネル板部２１２が屋根板１８４Ａの該対辺にそれぞれ嵌合されて固着される。
【００６０】
図２９〜図３１を参照して、屋根ユニット１８４の各々は、各々の横向き係止チャンネル板部２１４の下係止側壁２１４ｂの先端が、周方向に隣り合う板梁１８６の各々の樋板部１８８における上フランジ１９２ｃの各々のうち、該周方向内側に位置する上フランジ１９２ｃの先端に対し周方向外側に位置付けられた状態で下降させられて横向き取付チャンネル板部２１２の下側壁２１２ｃが該上フランジ１９２ｃの上面に載置され、更に半径方向外方にスライドさせられることにより、横向き係止チャンネル板部２１４の係止天壁２１４ａの該周方向内側面が該上フランジ１９２ｃの先端に当接してスライドが停止されて離脱可能に固着される。このような構成及び作用は、屋根ユニット１８４の各々の、屋根梁１８２に対する取り付け及び分離を容易かつ確実にしかも迅速に行なうことを可能にする。屋根ユニット１８４の各々は、図２８に示されるように、屋根梁１８２の各々に対し周方向に跨って、正六角形に配列された状態で固着される。屋根１８０の中心部には、正六角形のキャップ状のカバー部材２２０が上方から離脱可能に取り付けられて、屋根ユニット１８４の各々の中心部における空間を上方から覆う。
【００６１】
屋根ユニット１８４の各々が屋根梁１８２の各々に対し周方向に跨って、正六角形に配列されて固着された状態において、周方向に隣り合う屋根ユニット１８４の係止チャンネル部材２１０の各々間（天壁２１２ａ及び係止天壁２１４ａ間）には、周方向に一定の隙間Ｓが形成される。隙間Ｓの各々は、対応する屋根梁１８２の樋部材１８８の各々の上方を各々に沿って延びているので、樋部材１８８の各々と協働して屋根１８０における雨水などの排水に寄与する。
【００６２】
図３６には、本発明に従って構成された組立式簡易ハウスの更に他の実施の形態が示されている。図示の組立式簡易ハウスは簡易スタンドショップ２３０であって、図２６に示す組立式簡易ハウス１７０をベースとしているので全体の形状が正六角形をなしているが、屋根以外の基本的構成は、図２５に示す四角形の簡易スタンドショップ１５０と実質的に同じである。
【００６３】
図３７には、本発明に従って構成される組立式簡易ハウスに使用される壁の更に他の実施形態が示されている。この実施形態において、矩形の壁２４０の壁本体２４０Ｗの両側にはそれぞれ嵌合部である円筒部材２４０Ｌが、該両側の上下方向における下半分の領域に配設されている（図４０（ｅ）に示す壁ＷＥの形態）。また矩形の壁２５０の壁本体２５０Ｗの両側にはそれぞれ嵌合部である円筒部材２５０Ｕが、該両側の上下方向における上半分の領域に配設されている（図４０（ｆ）に示す壁ＷＦの形態）。壁２４０及び２５０の両側の高さは同じである。例えば、支柱の数が偶数本であって、相互に隣り合う支柱の対間に壁２４０と２５０を交互に支持する実施形態において、図示しないベースに偶数本の支柱を直立させておき、最初に、壁２４０を、周方向に一対おきに位置する支柱の対に、下半分の領域に配設された円筒部材２４０Ｌの各々を上方から嵌合することにより保持する。次に壁２５０を、壁２４０が保持されていない支柱の対に、上半分の領域に配設された円筒部材２５０Ｕの各々を上方から嵌合することにより保持する。共通の支柱である支柱の各々において、後から保持する壁２５０の円筒部材２５０Ｕは、先に保持された壁２４０の円筒部材２４０Ｌの上端に積み重ねられるように嵌合されるので、組付け及び分解が一層容易かつ迅速となる。
【００６４】
支柱の数が奇数本の実施形態においては、壁２４０と２５０とを周方向に交互に配置することができない。すなわち、一対の支柱の対において、一方の支柱には、壁２４０の下半分の領域に配設された円筒部材２４０Ｌが嵌合され、他方の支柱には、壁２５０の上半分の領域に配設された円筒部材２５０Ｕが嵌合される。したがって、この支柱の対には、図３８に示されている壁２６０が使用される。すなわち矩形の壁２６０の壁本体２６０Ｗの片側には嵌合部である円筒部材２６０Ｌが、該片側の上下方向における下半分の領域に配設され、他側には嵌合部である円筒部材２６０Ｕが、該他側の上下方向における上半分の領域に配設されている（図４０（ｇ）に示す壁ＷＧの形態）。
【００６５】
本発明に従って構成される組立式簡易ハウスに備えられる壁における円筒部材の配列の形態の典型例は、図４０に示されているが、これらに限定されないことはいうまでもない。
【００６６】
なお、支柱は、組立式簡易ハウスの高さによっては、相互に分離可能に連結される３本以上の複数個使用されることもある。その場合支柱は、最上端に位置する最上端支柱と、最下端に位置する最下端支柱と、中間に位置する少なくとも１個の中間支柱とからなる。最上端支柱は、図３９に示されている上支柱９０と実質的に同じ構成を有し、最下端に位置する最下端支柱及び中間に位置する中間支柱は、それぞれ図３９に示されている下支柱９２と実質的に同じ構成を有している。中間支柱が１個の場合、該中間支柱は、下端の雄ねじ部が最下端支柱の上端から雌ねじ部に締結されることにより最下端支柱と一体に固着され、最上端支柱は、下端の雄ねじ部が該中間支柱の上端から雌ねじ部に締結されることにより該中間支柱と一体に固着される。中間支柱が複数個の場合、最下端支柱の直上方に位置する中間支柱は、下端の雄ねじ部が最下端支柱の上端から雌ねじ部に締結されることにより最下端支柱と一体に固着され、複数個の中間支柱のうち相対的に上に位置する中間支柱は、下端の雄ねじ部が相対的に下に位置する中間支柱の上端から雌ねじ部に締結されることにより相対的に下に位置する中間支柱と一体に固着され、最上端支柱は、下端の雄ねじ部が最上端支柱の直下方に位置する中間支柱の上端から雌ねじ部に締結されることにより直下方に位置する中間支柱と一体に固着される。
【００６７】
上記組立式簡易ハウスの実施形態において、平面四角形の屋根は山形をなしているが、上面が水平な屋根、あるいは上面が一側から他側に向かって一定の角度で下方に傾斜している屋根、を備えた他の実施形態も成立する。
【００６８】
上記したことから容易に理解されるように、本発明によれば、基本的な構成を利用して、要求される種々の用途に対しそれぞれに適応した種々の形態に構築することができる。例えば、人がバッグなどに入れて携帯可能な小型、中型の組立式簡易ハウス（例えば犬小屋などの動物小屋、簡易更衣室、シャワー室、簡易トイレ、物置、ガードマンボックス、ゴミ収納庫）、あるいはトラックなどの輸送手段により梱包乃至箱詰めした状態で搬送することが可能である大型の組立式簡易ハウス（例えば簡易スタンド形ショップ、直売所、お土産店、簡易避難用ハウス）などを、基本的構成を変えることなく設計することが可能となり、実用上有用である。
【符号の説明】
【００６９】
１：組立式簡易ハウス（犬小屋）
２：ベース
Ｐ１、Ｐ２、Ｐ３、Ｐ４：支柱
１８：雌ねじ部
２４：支柱本体
２６、２８：雄ねじ部
６：前壁
８、１０：側壁
１２：後壁
１４：屋根
６Ａ、８Ｂ、１０Ｂ、１２Ａ：嵌合部（円筒部材）